(57)【要約】【課題】遊技への注目度を良好に高めることが可能な遊技機を提供すること。【解決手段】上作動口３３及び下作動口３４に遊技球が入賞すると、入賞した作動口に応じた保留情報が主制御装置に記憶される。そして、当該保留情報に基づいて、図柄表示装置４１における図柄の変動表示が開始される。図柄の変動表示が行われる場合、操作スイッチ１００が操作されたか否かに応じて実行される演出が異なる特別演出が設定されている。特別演出が実行される頻度が、特別演出が実行された場合に操作スイッチ１００が操作された頻度に応じて異なるようになっている。【選択図】      図４
2019034223.tif 000002
【特許請求の範囲】
【請求項１】
演出を実行する演出実行手段と、
演出を実行するよう前記演出実行手段を制御する演出制御手段と、
遊技者により操作される操作手段と、
予め定められた条件が成立した場合に、通常遊技状態よりも遊技者に有利な特定遊技状態に遊技状態を移行させる移行手段と、
を備え、
前記演出制御手段は、
所定期間において前記操作手段が操作された回数を予め定められた最大回数の範囲内で把握する把握手段と、
当該把握手段により把握された前記操作手段の操作回数に対応する態様で前記演出実行手段にて演出が実行されるようにする手段と、
遊技者による遊技操作に基づき遊技が進行していることを特定する遊技特定手段と、
遊技が進行していることが前記遊技特定手段により特定されていないことに基づいて、前記把握手段が把握している前記回数の情報を初期化する初期化手段と、
を備え、
当該初期化手段は、前記特定遊技状態である場合、前記初期化を実行しないことを特徴とする遊技機。
【発明の詳細な説明】
【技術分野】
【０００１】
本発明は、遊技機に関するものである。
【背景技術】
【０００２】
例えばパチンコ遊技機等の遊技機においては、遊技者により操作される操作装置を備えているものが知られている。例えば、特許文献１に示すパチンコ遊技機では、遊技機前面に操作装置を設け、当たり状態の発生を遊技者に期待させるために、遊技者による操作装置の操作に応じて実行される演出が異なる特別演出を、画面表示等にて行うように構成されている。
【先行技術文献】
【特許文献】
【０００３】
【特許文献１】特開２００８−２９７６４号公報
【発明の概要】
【発明が解決しようとする課題】
【０００４】
ここで、上記例示などのような遊技機においては、遊技への注目度を良好に高める必要があり、この点について未だ改良の余地がある。
【０００５】
本発明は、上記例示した事情等に鑑みてなされたものであり、遊技への注目度を良好に高めることが可能な遊技機を提供することを目的とするものである。
【課題を解決するための手段】
【０００６】
上記課題を解決すべく請求項１記載の発明は、演出を実行する演出実行手段と、
演出を実行するよう前記演出実行手段を制御する演出制御手段と、
遊技者により操作される操作手段と、
予め定められた条件が成立した場合に、通常遊技状態よりも遊技者に有利な特定遊技状態に遊技状態を移行させる移行手段と、
を備え、
前記演出制御手段は、
所定期間において前記操作手段が操作された回数を予め定められた最大回数の範囲内で把握する把握手段と、
当該把握手段により把握された前記操作手段の操作回数に対応する態様で前記演出実行手段にて演出が実行されるようにする手段と、
遊技者による遊技操作に基づき遊技が進行していることを特定する遊技特定手段と、
遊技が進行していることが前記遊技特定手段により特定されていないことに基づいて、前記把握手段が把握している前記回数の情報を初期化する初期化手段と、
を備え、
当該初期化手段は、前記特定遊技状態である場合、前記初期化を実行しないことを特徴とする。
【発明の効果】
【０００７】
本発明によれば、遊技への注目度を高めることができる。
【図面の簡単な説明】
【０００８】
【図１】第１の実施の形態におけるパチンコ機を示す正面図。
【図２】パチンコ機の主要な構成を展開して示す斜視図。
【図３】パチンコ機の主要な構成を展開して示す斜視図。
【図４】遊技盤の構成を示す正面図。
【図５】パチンコ機の電気的構成を示すブロック図。
【図６】図柄表示装置の表示画面における表示内容を説明するための説明図。
【図７】当否抽選などに用いられる各種カウンタの内容を説明するための説明図。
【図８】主制御装置のＭＰＵにおけるタイマ割込み処理を示すフローチャート。
【図９】通常処理を示すフローチャート。
【図１０】遊技回制御処理を示すフローチャート。
【図１１】音声ランプ制御装置のＭＰＵにおける表示モード変更処理を示すフローチャート。
【図１２】変動表示制御処理を示すフローチャート。
【図１３】変動開始用処理を示すフローチャート。
【図１４】外れに対応した変動態様設定処理を示すフローチャート。
【図１５】変動中用処理を示すフローチャート。
【図１６】外れに対応した特別演出抽選処理を示すフローチャート。
【図１７】操作頻度初期化処理を示すフローチャート。
【図１８】第２の実施の形態における変動中用処理を示すフローチャート。
【図１９】第２の実施の形態における操作頻度初期化処理を示すフローチャート。
【図２０】第３の実施の形態における変動開始用処理を示すフローチャート。
【図２１】第３の実施の形態における外れに対応した変動態様設定処理を示すフローチャート。
【図２２】第３の実施の形態における変動中用処理を示すフローチャート。
【図２３】第３の実施の形態における変動態様設定処理を示すフローチャート。
【発明を実施するための形態】
【０００９】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１０】
パチンコ機１０は、図１に示すように、当該パチンコ機１０の外殻を形成する外枠１１と、この外枠１１に対して前方に回動可能に取り付けられた遊技機本体１２とを有する。外枠１１は木製の板材などを四辺に連結し構成されるものであって矩形枠状をなしている。パチンコ機１０は、外枠１１を島設備に取り付け固定することにより、遊技ホールに設置される。
【００１１】
遊技機本体１２は、内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１２】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１３】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、パチンコ機１０前面にて露出させて設けられたシリンダ錠１７に対して解錠キーを用いて解錠操作を行うことにより、それぞれ解除される。
【００１４】
次に、遊技機本体１２の前面側の構成について説明する。
【００１５】
内枠１３は、外形が外枠１１とほぼ同一形状をなす樹脂ベース２１を主体に構成されている。樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域が樹脂ベース２１の窓孔２３を通じて内枠１３の前面側に露出した状態となっている。
【００１６】
ここで、遊技盤２４の構成を図４に基づいて説明する。遊技盤２４には、ルータ加工が施されることによって前後方向に貫通する大小複数の開口部が形成されている。各開口部には一般入賞口３１，可変入賞装置３２，上作動口（第１始動入球部又は非優先始動入球部）３３，下作動口（第２始動入球部又は優先始動入球部）３４，スルーゲート３５、可変表示ユニット３６、メイン表示部４３及び役物用表示部４４等がそれぞれ設けられている。
【００１７】
遊技盤２４の背面側には、一般入賞口３１、可変入賞装置３２、上作動口３３及び下作動口３４のそれぞれに対応させて検知センサ（図示略）が設けられており、一般入賞口３１、可変入賞装置３２、上作動口３３及び下作動口３４への入球が発生すると、それが対応する検知センサにより検知され、その検知結果に基づいて所定数の賞球の払い出しが実行される。この場合に、一般入賞口３１への入球が発生した場合には１０個の遊技球の払出が実行され、可変入賞装置３２への入球が発生した場合には１５個の遊技球の払出が実行され、上作動口３３への入球が発生した場合には３個の遊技球の払出が実行され、下作動口３４への入球が発生した場合には４個の遊技球の払出が実行される。
【００１８】
なお、遊技球の払出個数は上記のものに限定されることはない。但し、上作動口３３に対する下作動口３４の有利性を高める上では、上作動口３３に係る払出個数よりも下作動口３４に係る払出個数を多く設定することが好ましい。また、各作動口３３，３４に対する可変入賞装置３２の有利性を高める上では、各作動口３３，３４に係る払出個数よりも可変入賞装置３２に係る払出個数を多く設定することが好ましい。
【００１９】
その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材（役物）が配設されている。
【００２０】
ここで、入球とは、所定の開口部を遊技球が通過することを意味し、開口部を通過した後に遊技領域から排出される態様だけでなく、開口部を通過した後に遊技領域から排出されない態様も含まれる。但し、以下の説明では、アウト口３７への遊技球の入球と明確に区別するために、可変入賞装置３２、上作動口３３、下作動口３４又はスルーゲート３５への遊技球の入球を、入賞とも表現する。
【００２１】
上作動口３３及び下作動口３４は、作動口装置としてユニット化されて遊技盤２４に設置されている。上作動口３３及び下作動口３４は共に上向きに開放されている。また、上作動口３３が上方となるようにして両作動口３３，３４は上下方向、より詳細には鉛直方向に並んでいる。下作動口３４には、左右一対の可動片よりなるガイド片としての電動役物３４ａが設けられている。電動役物３４ａは、閉鎖状態（非サポート状態又は非ガイド状態）と開放状態（サポート状態又はガイド状態）とに切り換えられる。
【００２２】
上作動口３３を構成する作動口ケース３３ａは、手前側に張り出すとともに正面から見て略台形状をなしており、上辺長＜下辺長となっている。このとき、作動口ケース３３ａの上辺長（すなわち上作動口３３の左右幅）は、遊技球の直径よりも僅かに大きい長さとされ、下辺長は、電動役物３４ａが閉鎖状態にある場合において左右の電動役物３４ａ間の距離よりも大きい長さとされている。また、電動役物３４ａが閉鎖状態にある場合には作動口ケース３３ａと電動役物３４ａの上端部との間隔が遊技球の直径よりも僅かに短くなるよう両作動口３３，３４の設置間隔が調整されている。
【００２３】
上記構成によれば、電動役物３４ａの閉鎖状態では遊技球が下作動口３４に入賞できず、電動役物３４ａが開放されることで下作動口３４への入賞が可能となる。特にこのとき、電動役物３４ａが閉鎖状態から開放状態に移行する動作途中では、上記のとおり上作動口３３の作動口ケース３３ａが略台形状をなしておりそれが障害となることから、電動役物３４ａが十分に開放されるまでは下作動口３４への遊技球の入賞が不可能となり、電動役物３４ａのほぼ全開状態でのみ入賞が可能となっている。つまり、上方から落下してきた遊技球は作動口ケース３３ａの側面に当たって外側に弾かれ、下作動口３４に直接入賞することはない。これにより、電動役物３４ａが極短時間で開放される場合には下作動口３４への入賞が極めて困難となり、電動役物３４ａの開放状態が継続される場合にのみ下作動口３４への入賞が容易となる。
【００２４】
さらにまた、上記のとおり上作動口３３と下作動口３４とが並設されている、より具体的には上下に並設されているため、電動役物３４ａが開放状態となった場合には、作動口装置の上方に向けて流下してきた遊技球は、上作動口３３及び下作動口３４のいずれにも入賞し得る。換言すれば、電動役物３４ａが開放状態である場合には、後述する発射ハンドル５４の操作態様によって、上作動口３３への入賞と下作動口３４への入賞とを狙い分けることが難しい構成となっている。
【００２５】
なお、上作動口３３の作動口ケース３３ａを上記の如く略台形状とする構成以外にも、上作動口３３の作動口ケース３３ａを上部幅狭、下部幅広の２段構成としたり、上作動口３３の左右両側に略ハ字状のガイド片を設けたり、作動口ケース３３ａの斜め下方に障害釘を植設したりしても良い。
【００２６】
可変入賞装置３２は、遊技盤２４の背面側へと通じる大入賞口３２ａを備えているとともに、当該大入賞口３２ａを開閉する開閉扉３２ｂを備えている。開閉扉３２ｂは、遊技盤２４の背面側に設けられたソレノイドなどの駆動部と連結されており、通常は遊技球が入賞できない又は入賞し難い閉鎖状態になっており、内部抽選において開閉実行モード（開閉実行状態）への移行に当選した場合に遊技球が入賞しやすい所定の開放状態に切り換えられるようになっている。
【００２７】
ここで、開閉実行モードとは、大当たり当選となった場合に移行することとなるモードである。当該開閉実行モードについては、後に詳細に説明する。可変入賞装置３２の開放態様としては、所定時間（例えば３０ｓｅｃ）の経過又は所定個数（例えば１０個）の入賞を１ラウンドとして、複数ラウンド（例えば１５ラウンド）を上限として可変入賞装置３２が繰り返し開放される態様がある。
【００２８】
メイン表示部４３及び役物用表示部４４は、遊技領域の下部側の外縁に沿って配設された装飾部材３９に設けられている。装飾部材３９は、遊技盤２４の盤面からパチンコ機１０前方に延出している。より具体的には、装飾部材３９の前面は、遊技領域をパチンコ機１０前方から視認可能とするために前扉枠１４に設けられた窓パネル６２と対向しており、さらに窓パネル６２との間の距離は遊技球１個分よりも狭くなっている。これにより、装飾部材３９の前面の前方を遊技球が落下していくのが防止されている。
【００２９】
装飾部材３９の前面から露出するようにしてメイン表示部４３及び役物用表示部４４が設けられている。つまり、メイン表示部４３及び役物用表示部４４は、前扉枠１４の窓パネル６２を通じてパチンコ機１０前方から視認可能となっているとともに、これら両表示部４３，４４の前方を遊技球が落下していくのが防止されている。
【００３０】
メイン表示部４３には、大当たり当選となることで可変入賞装置３２が開閉実行モードとなった場合（又は開閉実行モードとなる場合）において、その開閉実行モードにおける可変入賞装置３２の大入賞口３２ａが開放される回数を明示するためのラウンド表示部ＲＳと、作動口３３，３４への入賞に基づいて行われた内部抽選の結果を明示するための結果表示部ＡＳとが設定されている。
【００３１】
ラウンド表示部ＲＳでは、開閉実行モードの開始に際して開放回数の表示が開始され、開閉実行モードの終了に際して当該表示が終了される。
【００３２】
結果表示部ＡＳでは、各作動口３３，３４への入賞をトリガとして絵柄の変動表示が行われ、その変動表示の停止結果として、各作動口３３，３４への入賞に基づいて行われた内部抽選の結果が表示によって明示される。各作動口３３，３４への入賞に基づく内部抽選の結果が開閉実行モードへの移行に対応した当選結果であった場合には、結果表示部ＡＳにて所定の停止結果が表示されて変動表示が停止された後に、開閉実行モードへ移行する。
【００３３】
ここで、いずれかの作動口３３，３４への入賞に基づいて、結果表示部ＡＳにて変動表示が開始され、所定の停止結果を表示し上記変動表示が停止されるまでが遊技回の１回に相当する。但し、遊技回の１回は、上記の内容に限定されることはなく、例えば、単一の結果表示部が設けられ、いずれの作動口３３，３４への入賞が発生したとしてもその単一の結果表示部にて変動表示が行われる構成においては、当該単一の結果表示部にて変動表示が開始され、所定の停止結果を表示した状態で上記変動表示が停止されるまでを遊技回の１回とする。
【００３４】
役物用表示部４４は、スルーゲート３５への入賞に基づいて行われた内部抽選の結果を明示するための表示部である。この場合、役物用表示部４４では、スルーゲート３５への入賞をトリガとして絵柄の変動表示が行われ、その変動表示の停止結果として、スルーゲート３５への入賞に基づいて行われた内部抽選の結果が表示によって明示される。スルーゲート３５への入賞に基づく内部抽選の結果が電役開放状態への移行に対応した当選結果であった場合には、役物用表示部４４にて所定の停止結果が表示されて変動表示が停止された後に、電役開放状態へ移行する。電役開放状態では、下作動口３４に設けられた電動役物３４ａが所定の態様で開放状態となる。
【００３５】
なお、メイン表示部４３及び役物用表示部４４は、複数のセグメントを有するセグメント表示装置により構成されているが、これに限定されることはなく、液晶表示装置など他の表示装置を用いてもよい。
【００３６】
可変表示ユニット３６には、図柄を変動表示（又は、可変表示若しくは切換表示）する図柄表示装置４１が設けられている。また、可変表示ユニット３６には、図柄表示装置４１を囲むようにしてセンターフレーム４２が配設されている。このセンターフレーム４２は、その上部がパチンコ機１０前方に延出している。これにより、図柄表示装置４１の表示画面の前方を遊技球が落下していくのが防止されており、遊技球の落下により表示画面の視認性が低下するといった不都合が生じない構成となっている。
【００３７】
図柄表示装置４１は、液晶ディスプレイを備えた液晶表示装置として構成されており、後述する表示制御装置により表示内容が制御される。図柄表示装置４１には、例えば上、中及び下に並べて図柄が表示され、これらの図柄が左右方向にスクロールされるようにして変動表示されるようになっている。この場合、図柄表示装置４１における変動表示は、上作動口３３又は下作動口３４への入賞に基づいて開始される。すなわち、結果表示部ＡＳにおいて変動表示が行われる場合には、それに合わせて図柄表示装置４１において変動表示が行われる。そして、例えば、開閉実行モードとして可変入賞装置３２の大入賞口３２ａの開放が１５回行われることとなる１５ラウンド対応の開閉実行モードに移行する遊技回には、図柄表示装置４１では予め設定されている有効ライン上に所定の組み合わせの図柄が停止表示される。
【００３８】
センターフレーム４２の前面側における左上部分には、結果表示部ＡＳ及び図柄表示装置４１に対応した第１保留ランプ部４５が設けられている。遊技球が各作動口３３，３４のいずれかに入賞した個数は最大４個まで保留され、第１保留ランプ部４５の点灯によってその保留個数が表示されるようになっている。上述したように、センターフレーム４２の上部がパチンコ機１０前方に延出していることにより、第１保留ランプ部４５の視認性が遊技球の落下により阻害されない構成となっている。
【００３９】
センターフレーム４２の下部には、役物用表示部４４に対応した第２保留ランプ部４７が設けられている。遊技球がスルーゲート３５を通過した回数は最大４回まで保留され、第２保留ランプ部４７の点灯によってその保留個数が表示されるようになっている。なお、各保留ランプ部４５，４７が図柄表示装置４１の一部で表示される構成等であってもよい。
【００４０】
遊技盤２４には、内レール部５１と外レール部５２とが取り付けられており、これら内レール部５１と外レール部５２とにより誘導レールが構成され、遊技球発射機構５３から発射された遊技球が遊技領域の上部に案内されるようになっている。遊技球発射機構５３は、図２に示すように、樹脂ベース２１における窓孔２３の下方に取り付けられており、前扉枠１４に設けられた発射ハンドル５４が操作されることにより遊技球の発射動作が行われる。
【００４１】
内枠１３の前面側全体を覆うようにして前扉枠１４が設けられている。前扉枠１４には、図１に示すように、遊技領域のほぼ全域を前方から視認することができるようにした窓部６１が形成されている。窓部６１は、略楕円形状をなし、上述した窓パネル６２が嵌め込まれている。窓パネル６２は、ガラスによって無色透明に形成されているが、これに限定されることはなく合成樹脂によって無色透明に形成してもよい。
【００４２】
窓部６１の周囲には、各種ランプ部等の発光手段が設けられている。当該各種ランプ部の一部として表示ランプ部６３が窓部６１の上方に設けられている。また、表示ランプ部６３の左右両側には、遊技状態に応じた効果音などが出力されるスピーカ部６４が設けられている。
【００４３】
前扉枠１４における窓部６１の下方には、手前側へ膨出した上側膨出部６５と下側膨出部６６とが上下に並設されている。上側膨出部６５内側には上方に開口した上皿７１が設けられており、下側膨出部６６内側には同じく上方に開口した下皿７２が設けられている。上皿７１は、後述する払出装置より払い出された遊技球を一旦貯留し、一列に整列させながら遊技球発射機構５３側へ導くための機能を有する。また、下皿７２は、上皿７１内にて余剰となった遊技球を貯留する機能を有する。上皿７１及び下皿７２には、裏パックユニット１５の払出装置９６から払い出された遊技球が前扉枠１４の背面に設けられた通路形成ユニット７３を通じて排出される。
【００４４】
前扉枠１４における下側膨出部６６の左方には、操作スイッチ１００が遊技者により操作可能に設けられている。操作スイッチ１００が操作されることにより、その操作に応じた演出が適宜実行されるようになっている。
【００４５】
次に、遊技機本体１２の背面側の構成について説明する。
【００４６】
図３に示すように、内枠１３（具体的には、遊技盤２４）の背面には、主制御装置８１及び音声ランプ制御装置８２が搭載されている。
【００４７】
主制御装置８１は、遊技の主たる制御を司る主制御基板と、電源を監視する停電監視基板とを具備しており、これら主制御基板及び停電監視基板が透明樹脂材料等よりなる基板ボックス８３に収容されて構成されている。基板ボックス８３は、略直方体形状のボックスベース（表ケース体）とこのボックスベースの開口部を覆うボックスカバー（裏ケース体）とを備えている。これらボックスベースとボックスカバーとは分離阻止手段（又は、結合手段）としてのボックス結合部８５によって分離不能に連結され、これにより基板ボックス８３が封印されている。そして、これらボックス結合部８５によって分離不能に連結されていることで、基板ボックス８３の内部空間の開放に際しては当該基板ボックス８３の破壊又は一部の切除を要する構成となっている。ボックス結合部８５は、基板ボックス８３の長辺部に複数設けられ、そのうち少なくとも一つが用いられて結合処理が行われる。
【００４８】
ボックス結合部８５はボックスベースとボックスカバーとを開放不能に結合する構成であれば任意の構成が適用できるが、ボックス結合部８５を構成する長孔に係止爪を挿入することでボックスベースとボックスカバーとが開放不能に結合されるようになっている。ボックス結合部８５による結合処理は、その結合後の不正な開放を防止し、また万一不正開放が行われてもそのような事態を早期に且つ容易に発見可能とするものであって、一旦開放した後でも再度開放処理を行うこと自体は可能である。すなわち、複数のボックス結合部８５のうち、少なくとも一つの長孔に係止爪を挿入することにより結合処理が行われる。そして、収容した主制御基板の不具合発生の際や主制御基板の検査の際など基板ボックス８３を開放する場合には、係止爪が挿入されたボックス結合部８５と他のボックス結合部８５との連結部分やボックス本体との連結部分を切断する。これにより、基板ボックス８３のボックスベースとボックスカバーとが分離され、内部の主制御基板を取り出すことができる。その後、再度結合処理する場合は他のボックス結合部８５の長孔に係止爪を挿入する。基板ボックス８３の開放を行った旨の履歴を当該基板ボックス８３に残しておけば、基板ボックス８３を見ることで不正な開放が行われた旨が容易に発見できる。
【００４９】
基板ボックス８３の一方の短辺部には、その側方に突出するようにして複数の結合片８６が設けられている。これら結合片８６は、主制御装置８１の取付台に形成された複数の被結合片８７と１対１で対応しており、結合片８６と被結合片８７とにより基板ボックス８３と取付台との間で結合処理が行われる。
【００５０】
なお、上記基板ボックス８３の不正な開放を発見するための痕跡手段として、封印シールをボックスベースとボックスカバーとの境界を跨ぐようにして貼り付ける構成としてもよい。この場合、封印シールをその貼付箇所から剥がした場合には、当該封印シールの接着剤層が基板ボックス８３側に残り、その痕跡が残ることとなる。さらには、当該封印シールに所定周波数の呼び出し波に対して識別情報を含む応答波を発信するＩＣタグを設け、封印シールを剥がした場合には、当該ＩＣタグのアンテナが切断されて、上記応答波の発信が不可となる構成としてもよい。
【００５１】
音声ランプ制御装置８２は、主制御装置８１からの指示に従い音声やランプ表示、及び図示しない表示制御装置の制御を司る音声ランプ制御基板を具備しており、音声ランプ制御基板が透明樹脂材料等よりなる基板ボックス８４に収容されて構成されている。
【００５２】
裏パックユニット１５は、図３に示すように、裏パック９１を備えており、当該裏パック９１に対して、払出機構部９２及び制御装置集合ユニット９３が取り付けられている。なお、裏パック９１は透明性を有する合成樹脂により形成されており、主制御装置８１や音声ランプ制御装置８２などを後方から覆うように、後方に突出し略直方体形状をなす保護カバー部９４を有している。
【００５３】
払出機構部９２は、保護カバー部９４を迂回するようにして配設されており、遊技場の島設備から供給される遊技球が逐次補給されるタンク９５と、当該タンク９５に貯留された遊技球を払い出すための払出装置９６と、を備えている。払出装置９６より払い出された遊技球は、当該払出装置９６の下流側に設けられた図示しない払出通路を通じて、上皿７１又は下皿７２に排出される。また、払出機構部９２には、例えば交流２４ボルトの主電源が供給されるとともに、電源のＯＮ操作及びＯＦＦ操作を行うための電源スイッチが設けられた裏パック基板が搭載されている。
【００５４】
また、裏パック９１には、裏パックユニット１５の回動軸側であって上縁側に外部出力端子板９９が設けられている。外部出力端子板９９には、タンク９５などで遊技球が不足した場合に信号出力するための出力端子、所定個数の賞球を払い出す毎に信号出力するための出力端子、所定個数の遊技球を貸し出す毎に信号出力するための出力端子、遊技機本体１２の開放時に信号出力するための出力端子、前扉枠１４の開放時に信号出力するための出力端子、及び開閉実行モードなどの状態移行に際して（又は、状態に移行している間）信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【００５５】
制御装置集合ユニット９３は、払出制御装置９７と電源及び発射制御装置９８とを備えている。これら払出制御装置９７と電源及び発射制御装置９８とは、払出制御装置９７がパチンコ機１０後方となるように前後に重ねて配置されている。
【００５６】
払出制御装置９７は、払出装置９６を制御する払出制御基板が基板ボックス内に収容されて構成されている。この場合、当該払出制御装置９７の基板ボックスに対して、主制御装置８１の基板ボックス８３と同様の不正抑制手段を適用してもよい。
【００５７】
電源及び発射制御装置９８は、電源及び発射制御基板が基板ボックス内に収容されて構成されており、当該基板により、各種制御装置等で要する所定の電力が生成されて出力され、さらに遊技者による発射ハンドル５４の操作に伴う遊技球の打ち出しの制御が行われる。また、本パチンコ機１０は各種データの記憶保持機能を有しており、万一停電が発生した際でも停電時の状態を保持し、停電からの復帰の際には停電時の状態に復帰できるようになっている。
【００５８】
＜電気的構成＞
次に、パチンコ機１０の電気的構成について、図５のブロック図に基づいて説明する。
【００５９】
主制御装置８１に設けられた主制御基板２０１には、ＭＰＵ２０２が搭載されている。ＭＰＵ２０２には、当該ＭＰＵ２０２により実行される各種の制御プログラムや固定値データを記憶したＲＯＭ２０３と、そのＲＯＭ２０３内に記憶される制御プログラムの実行に際して各種のデータ等を一時的に記憶するためのメモリであるＲＡＭ２０４と、割込回路、タイマ回路、データ入出力回路、乱数発生器としての各種カウンタ回路などが内蔵された素子である。なお、ＭＰＵ２０２が有する機能の一部、例えば、ＲＯＭ２０３の機能やＲＡＭ２０４の機能などを別の素子として有する構成としてもよい。
【００６０】
ＭＰＵ２０２には、入力ポート及び出力ポートがそれぞれ設けられている。ＭＰＵ２０２の入力側には、主制御装置８１に設けられた停電監視基板２０５、払出制御装置９７及び各種検知センサ２１１ａ〜２１１ｅなどが接続されている。この場合に、停電監視基板２０５には電源及び発射制御装置９８が接続されており、ＭＰＵ２０２には停電監視基板２０５を介して電力が供給される。また、各種検知センサ２１１ａ〜２１１ｅの一部として、一般入賞口３１、可変入賞装置３２、上作動口３３、下作動口３４及びスルーゲート３５などといった入賞対応入球部（払出対応入球部）に設けられた複数の検知センサが接続されており、主制御装置８１のＭＰＵ２０２において各入球部への入賞判定（入球判定）が行われる。また、ＭＰＵ２０２では、上作動口３３及び下作動口３４への入賞に基づいて大当たり発生抽選を実行するとともに、スルーゲート３５への入賞に基づいてサポート発生抽選を実行する。
【００６１】
ＭＰＵ２０２の出力側には、停電監視基板２０５、払出制御装置９７及び音声ランプ制御装置８２が接続されている。払出制御装置９７には、例えば、上記入賞対応入球部への入賞判定結果に基づいて賞球コマンドが出力される。この場合、賞球コマンドの出力に際しては、ＲＯＭ２０３のコマンド情報記憶エリア２２５が参照される。そして、一般入賞口３１への入賞を特定した場合には、１０個の遊技球の払出に対応した賞球コマンドが出力され、可変入賞装置３２への入賞を特定した場合には、１５個の遊技球の払出に対応した賞球コマンドが出力され、上作動口３３への入賞を特定した場合には、３個の遊技球の払出に対応した賞球コマンドが出力され、下作動口３４への入賞を特定した場合には、４個の遊技球の払出に対応した賞球コマンドが出力される。
【００６２】
音声ランプ制御装置８２に設けられた音声ランプ制御基板２４８には、ＭＰＵ２４９が搭載されている。ＭＰＵ２４９には、変動用コマンド、種別コマンド、変動終了コマンド、オープニングコマンド及びエンディングコマンドなどの各種コマンドが主制御装置８１のＭＰＵ２０２から出力される。この場合、これら各種コマンドの出力に際しては、ＲＯＭ２０３のコマンド情報記憶エリア２２５が参照される。これら各種コマンドの詳細については、後に説明する。なお、上記各コマンドは、所定のバイト数の情報として構成されており、当該所定のバイト数の情報として各種情報が含まれている。
【００６３】
音声ランプ制御装置８２のＭＰＵ２４９には、各種プログラムを記憶したＲＯＭ２５０と、ＲＡＭ２５１が設けられている。ＭＰＵ２４９は、主制御装置８１から各種コマンドを受信した場合、ＲＯＭ２５０とＲＡＭ２５１とを適宜用いて各種制御を実行する。
【００６４】
また、主制御装置８１のＭＰＵ２０２の出力側には、可変入賞装置３２の開閉扉３２ｂを開閉動作させる可変入賞駆動部３２ｃ、下作動口３４の電動役物３４ａを開閉動作させる電動役物駆動部３４ｂ、及びメイン表示部４３が接続されている。主制御基板２０１には各種ドライバ回路が設けられており、当該ドライバ回路を通じてＭＰＵ２０２は各種駆動部の駆動制御を実行する。
【００６５】
つまり、開閉実行モードにおいては大入賞口３２ａが開閉されるように、ＭＰＵ２０２において可変入賞駆動部３２ｃの駆動制御が実行される。また、電動役物３４ａの開放状態当選となった場合には、電動役物３４ａが開閉されるように、ＭＰＵ２０２において電動役物駆動部３４ｂの駆動制御が実行される。また、各遊技回に際しては、ＭＰＵ２０２においてメイン表示部４３における結果表示部ＡＳの表示制御が実行されるとともに、可変入賞装置３２の開閉実行モードに際してはメイン表示部４３におけるラウンド表示部ＲＳの表示制御が実行される。
【００６６】
停電監視基板２０５は、主制御基板２０１と電源及び発射制御装置９８とを中継し、また電源及び発射制御装置９８から出力される最大電圧である直流安定２４ボルトの電圧を監視する。払出制御装置９７は、主制御装置８１から入力した賞球コマンドに基づいて、払出装置９６により賞球や貸し球の払出制御を行うものである。
【００６７】
電源及び発射制御装置９８は、例えば、遊技場等における商用電源（外部電源）に接続されている。そして、その商用電源から供給される外部電力に基づいて主制御基板２０１や払出制御装置９７等に対して各々に必要な動作電力を生成するとともに、その生成した動作電力を所定の電力経路を通じて供給する。また、電源及び発射制御装置９８は、遊技球発射機構５３の発射制御を担うものであり、遊技球発射機構５３は所定の発射条件が整っている場合に駆動される。
【００６８】
音声ランプ制御装置８２は、主制御装置８１から入力した各種コマンドに基づいて、可変表示ユニット３６に設けられた各保留ランプ部４５，４７及び前扉枠１４に設けられた表示ランプ部６３やスピーカ部６４を駆動制御するとともに、表示制御装置２１２を制御するものである。そして、表示制御装置２１２では、音声ランプ制御装置８２から入力したコマンドに基づいて、図柄表示装置４１の表示制御を実行する。
【００６９】
また、音声ランプ制御装置８２には、操作スイッチ１００が接続されている。操作スイッチ１００が操作された場合、操作スイッチ１００が操作されたことを示す信号が音声ランプ制御装置８２に入力される。音声ランプ制御装置８２は、操作スイッチ１００が操作されたことを示す信号を入力したことに基づいて表示制御装置２１２を制御する。
【００７０】
ここで、図柄表示装置４１の表示内容について図６に基づいて説明する。図６は図柄表示装置４１の表示画面Ｇを示す図である。
【００７１】
図６（ａ）に示すように、図柄表示装置４１の表示画面Ｇには、上段・中段・下段の３つの図柄列Ｚ１，Ｚ２，Ｚ３が設定されている。各図柄列Ｚ１〜Ｚ３は、主図柄と副図柄が所定の順序で配列されて構成されている。詳細には、上図柄列Ｚ１には、「１」〜「９」の９種類の主図柄が数字の降順に配列されると共に、各主図柄の間に副図柄が１つずつ配されている。下図柄列Ｚ３には、「１」〜「９」の９種類の主図柄が数字の昇順に配列されると共に、各主図柄の間に副図柄が１つずつ配されている。つまり、上図柄列Ｚ１と下図柄列Ｚ３は１８個の図柄により構成されている。これに対し、中図柄列Ｚ２には、数字の昇順に「１」〜「９」の９種類の主図柄が配列された上で「９」の主図柄と「１」の主図柄との間に「４」の主図柄が付加的に配列され、これら各主図柄の間に副図柄が１つずつ配されている。つまり、中図柄列Ｚ２に限っては、１０個の主図柄が配されて２０個の図柄により構成されている。そして、表示画面Ｇでは、これら各図柄列Ｚ１〜Ｚ３の図柄が周期性をもって所定の向きにスクロールするように変動表示される。また、図６（ｂ）に示すように、表示画面Ｇは、図柄列毎に３個の図柄が停止表示されるようになっており、結果として３×３の計９個の図柄が停止表示されるようになっている。
【００７２】
また、表示画面Ｇには、５つの有効ライン、すなわち左ラインＬ１、中ラインＬ２、右ラインＬ３、右下がりラインＬ４、右上がりラインＬ５が設定されている。そして、上図柄列Ｚ１→下図柄列Ｚ３→中図柄列Ｚ２の順に変動表示が停止し、いずれかの有効ラインに同一の数字が付された図柄の組み合わせが形成された状態で全図柄列Ｚ１〜Ｚ３の変動表示が終了すれば、後述する通常大当たり結果又は確変大当たり結果の発生として大当たり動画が表示されるようになっている。
【００７３】
本パチンコ機１０では、奇数番号（１，３，５，７，９）が付された主図柄は「特定図柄」に相当し、１５Ｒ確変大当たり結果が発生する場合には、同一の特定図柄の組み合わせが停止表示される。また、偶数番号（２，４，６，８）が付された主図柄は「非特定図柄」に相当し、通常大当たり結果が発生する場合には、同一の非特定図柄の組み合わせが停止表示される。
【００７４】
なお、図柄表示装置４１における図柄の変動表示の態様は上記のものに限定されることはなく任意であり、図柄列の数、図柄列における図柄の変動表示の方向、各図柄列の図柄数などは適宜変更可能である。
【００７５】
＜各種カウンタについて＞
次に、上記の如く構成されたパチンコ機１０の動作について説明する。
【００７６】
ＭＰＵ２０２は遊技に際し各種カウンタ情報を用いて、大当たり発生抽選、メイン表示部４３の表示の設定、図柄表示装置４１の図柄表示の設定、役物用表示部４４の表示の設定などを行うこととしており、具体的には、図７に示すように、大当たり発生の抽選に使用する大当たり乱数カウンタＣ１と、確変大当たり結果や通常大当たり結果等の大当たり種別を判定する際に使用する大当たり種別カウンタＣ２と、図柄表示装置４１が外れ変動する際のリーチ抽選に使用するリーチ乱数カウンタＣ３と、大当たり乱数カウンタＣ１の初期値設定に使用する乱数初期値カウンタＣＩＮＩと、メイン表示部４３の結果表示部ＡＳに図柄表示装置４１における変動表示時間を決定する変動種別カウンタＣＳとを用いることとしている。さらに、下作動口３４の電動役物３４ａを電役開放状態とするか否かの抽選に使用する電動役物開放カウンタＣ４を用いることとしている。
【００７７】
各カウンタＣ１〜Ｃ３，ＣＩＮＩ，ＣＳ，Ｃ４は、その更新の都度前回値に１が加算され、最大値に達した後０に戻るループカウンタとなっている。各カウンタは短時間間隔で更新され、その更新値がＲＡＭ２０４の所定領域に設定された抽選用カウンタエリア２３１に適宜格納される。ＲＡＭ２０４には、結果表示部用保留エリアＲＥと、実行エリアＡＥと、総保留数記憶領域とよりなる保留球格納エリア２３２が設けられている。そして、この保留球格納エリア２３２に、上作動口３３又は下作動口３４への遊技球の入賞履歴に合わせて、大当たり乱数カウンタＣ１、大当たり種別カウンタＣ２及びリーチ乱数カウンタＣ３の各値が時系列的に格納されるようになっている。
【００７８】
各カウンタについて詳しくは、大当たり乱数カウンタＣ１は、例えば０〜５９９の範囲内で順に１ずつ加算され、最大値に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が上作動口３３又は下作動口３４に入賞したタイミングでＲＡＭ２０４の保留球格納エリア２３２に格納される。より詳しくは、各作動口３３，３４に遊技球が入賞したタイミングでＲＡＭ２０４の結果表示部用保留エリアＲＥに格納される。
【００７９】
大当たり当選となる乱数の値は、ＲＯＭ２０３における当否情報群記憶手段としての当否テーブル記憶エリア２２１に当否テーブル（当否情報群）として記憶されている。当否テーブルとしては、低確率モード用の当否テーブル（低確率用当否情報群）と、高確率モード用の当否テーブル（高確率用当否情報群）とが設定されている。つまり、本パチンコ機１０は、当否抽選手段における抽選モードとして、低確率モード（低確率対応状態）と高確率モード（高確率対応状態）とが設定されている。
【００８０】
上記抽選に際して低確率モード用の当否テーブルが参照されることとなる遊技状態下では、大当たり当選となる乱数の値（すなわち、当選情報）は２個である。一方、上記抽選に際して高確率モード用の当否テーブルが参照されることとなる遊技状態下では、大当たり当選となる乱数の値（すなわち、当選情報）は２１個である。この場合、低確率モードである状況において大当たり当選となる大当たり乱数カウンタＣ１の値群は、高確率モードである状況において大当たり当選となる大当たり乱数カウンタＣ１の値群に含まれている。なお、低確率モードよりも高確率モードの方の当選確率が高くなるのであれば、上記当選となる乱数の数及び値は任意である。
【００８１】
大当たり種別カウンタＣ２は、０〜２９の範囲内で順に１ずつ加算され、最大値に達した後０に戻る構成となっている。大当たり種別カウンタＣ２は定期的に更新され、遊技球が上作動口３３又は下作動口３４に入賞したタイミングでＲＡＭ２０４の保留球格納エリア２３２に格納される。より詳しくは、各作動口３３，３４に遊技球が入賞したタイミングでＲＡＭ２０４の結果表示部用保留エリアＲＥに格納される。
【００８２】
ここで、本実施の形態では、複数の大当たり結果が設定されている。これら複数の大当たり結果は、開閉実行モード終了後の当否抽選手段における抽選モードに差異を設けることにより、複数の大当たり結果が設定されている。
【００８３】
ここで、下作動口３４の電動役物３４ａにおけるサポートモードについて説明する。下作動口３４の電動役物３４ａにおけるサポートモードとしては、遊技領域に対して同様の態様で遊技球の発射が継続されている状況で比較した場合に、下作動口３４の電動役物３４ａが単位時間当たりに開放状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【００８４】
具体的には、低頻度サポートモードと高頻度サポートモードとでは、電動役物開放カウンタＣ４を用いた電動役物開放抽選における電役開放状態当選となる確率は同一（例えば、共に４／５）となっているが、高頻度サポートモードでは低頻度サポートモードよりも、電役開放状態当選となった際に電動役物３４ａが開放状態となる回数が多く設定されており、さらに１回の開放時間が長く設定されている。この場合、高頻度サポートモードにおいて電役開放状態当選となり電動役物３４ａの開放状態が複数回発生する場合において、１回の開放状態が終了してから次の開放状態が開始されるまでの閉鎖時間は、１回の開放時間よりも短く設定されている。さらにまた、高頻度サポートモードでは低頻度サポートモードよりも、１回の電動役物開放抽選が行われてから次の電動役物開放抽選が行われる上で最低限確保される確保時間が短く設定されている。
【００８５】
上記のように高頻度サポートモードでは、低頻度サポートモードよりも下作動口３４への入賞が発生する確率が高くなる。換言すれば、低頻度サポートモードでは、下作動口３４よりも上作動口３３への入賞が発生する確率が高くなるが、高頻度サポートモードでは、上作動口３３よりも下作動口３４への入賞が発生する確率が高くなる。そして、下作動口３４への入賞が発生した場合には、所定個数の遊技球の払出が実行されるため、高頻度サポートモードでは、遊技者は持ち球をあまり減らさないようにしながら遊技を行うことができる。
【００８６】
なお、高頻度サポートモードを低頻度サポートモードよりも単位時間当たりに電役開放状態となる頻度を高くする上での構成は、上記のものに限定されることはなく、例えば電動役物開放抽選における電役開放状態当選となる確率を高くする構成としてもよい。さらには、開放回数を多くする、開放時間を長くする、１回の電動役物開放抽選が行われてから次の電動役物開放抽選が行われる上で最低限確保される確保時間を短くする（すなわち、役物用表示部４４における１回の変動表示時間を短くする）及び当選確率を高くするのうち、いずれか１条件又は任意の組み合わせの条件を適用することで、低頻度サポートモードに対する高頻度サポートモードの有利性を高めてもよい。
【００８７】
大当たり種別カウンタＣ２の説明に戻る。大当たり種別カウンタＣ２に対する遊技結果の振分先は、ＲＯＭ２０３における振分情報群記憶手段としての振分テーブル記憶エリア２２２に振分テーブル（振分情報群）として記憶されている。
【００８８】
振分テーブルでは、遊技結果の振分先として、通常大当たり結果（低確率対応特別遊技結果）、及び確変大当たり結果（高確率対応特別遊技結果）が設定されている。
【００８９】
通常大当たり結果は、開閉実行モードが高頻度入賞モードとなり、さらに開閉実行モードの終了後には、当否抽選モードが低確率モードとなるとともに、サポートモードが高頻度サポートモードとなる大当たり結果である。但し、この高頻度サポートモードは、移行後において遊技回数が終了基準回数（具体的には、１００回）に達した場合に低頻度サポートモードに移行する。換言すれば、通常大当たり結果は、通常大当たり状態（低確率対応特別遊技状態）へ遊技状態を移行させる大当たり結果である。
【００９０】
確変大当たり結果は、開閉実行モードが高頻度入賞モードとなり、さらに開閉実行モードの終了後には、当否抽選モードが高確率モードとなるとともに、サポートモードが高頻度サポートモードとなる大当たり結果である。当該高頻度サポートモードは、当否抽選における抽選結果が大当たり状態当選となり、それによる大当たり状態に移行するまで継続する。換言すれば、確変大当たり結果は、確変大当たり状態（高確率対応特別遊技状態）へ遊技状態を移行させる大当たり結果である。
【００９１】
なお、上記各遊技状態との関係で通常遊技状態とは、当否抽選モードが低確率モードであり、サポートモードが低頻度サポートモードである状態をいう。
【００９２】
第１結果表示部用の振分テーブルでは、「０〜２９」の大当たり種別カウンタＣ２の値のうち、「０〜１４」が通常大当たり結果に対応しており、「１５〜２９」が確変大当たり結果に対応している。
【００９３】
リーチ乱数カウンタＣ３は、例えば０〜２３８の範囲内で順に１ずつ加算され、最大値に達した後０に戻る構成となっている。リーチ乱数カウンタＣ３は定期的に更新され、遊技球が上作動口３３又は下作動口３４に入賞したタイミングでＲＡＭ２０４の保留球格納エリア２３２に格納される。より詳しくは、各作動口３３，３４に遊技球が入賞したタイミングでＲＡＭ２０４の結果表示部用保留エリアＲＥに格納される。そして、ＲＯＭ２０３のリーチ用テーブル記憶エリアに記憶されたリーチ用テーブルに基づいてリーチを発生させるか否かを決定することとしている。但し、開閉実行モードに移行する遊技回においては、ＭＰＵ２０２では、リーチ乱数カウンタＣ３の値に関係なくリーチ発生の決定を行う。なお、リーチ表示の発生に対応したリーチ乱数カウンタＣ３の数は、各遊技状態において同一となっているが、遊技状態に応じて各々個別に設定されるものであってもよい。例えば、サポートモードが高頻度サポートモードである場合の方が、低頻度サポートモードよりも、リーチ表示の発生に対応したリーチ乱数カウンタＣ３の数が多く設定された構成としてもよい。
【００９４】
ここで、リーチ表示（リーチ状態）とは、図柄（絵柄）の変動表示（又は可変表示）を行うことが可能な図柄表示装置４１を備え、可変入賞装置３２の開閉実行モードが高頻度入賞モードとなる遊技回では変動表示後の停止表示結果が特別表示結果となる遊技機において、図柄表示装置４１における図柄（絵柄）の変動表示（又は可変表示）が開始されてから停止表示結果が導出表示される前段階で、前記特別表示結果となり易い変動表示状態であると遊技者に思わせるための表示状態をいう。
【００９５】
換言すれば、図柄表示装置４１の表示画面に表示される複数の図柄列のうち一部の図柄列について図柄を停止表示させることで、高頻度入賞モードの発生に対応した大当たり図柄の組み合わせが成立する可能性があるリーチ図柄の組み合わせを表示し、その状態で残りの図柄列において図柄の変動表示を行う表示状態のことである。
【００９６】
より具体的には、図柄の変動表示を終了させる前段階として、図柄表示装置４１の表示画面内の予め設定された有効ライン上に、高頻度入賞モードの発生に対応した大当たり図柄の組み合わせが成立する可能性のあるリーチ図柄の組み合わせを停止表示させることによりリーチラインを形成させ、当該リーチラインが形成されている状況下において最終停止図柄列により図柄の変動表示を行うことである。
【００９７】
図６の表示内容について具体的に説明すると、最初に上段の図柄列Ｚ１において図柄の変動表示が終了され、さらに下段の図柄列Ｚ３において図柄の変動表示が終了された状態において、いずれかの有効ラインＬ１〜Ｌ５に同一の数字が付された主図柄が停止表示されることでリーチラインが形成され、当該リーチラインが形成されている状況化において中段の図柄列Ｚ２において図柄の変動表示が行われることでリーチ表示となる。そして、高頻度入賞モードが発生する場合には、リーチラインを形成している主図柄と同一の数字が付された主図柄がリーチライン上に停止表示されるようにして中段の図柄列Ｚ２における図柄の変動表示が終了される。
【００９８】
また、リーチ表示には、上記のようにリーチ図柄の組み合わせを表示した状態で、残りの図柄列において図柄の変動表示を行うとともに、その背景画面において所定のキャラクタなどを動画として表示することによりリーチ演出を行うものや、リーチ図柄の組み合わせを縮小表示させる又は非表示とした上で、表示画面の略全体において所定のキャラクタなどを動画として表示することによりリーチ演出を行うものが含まれる。また、リーチ表示が行われている場合又はリーチ表示の前に所定のキャラクタといった所定画像を用いた予告表示を行うか否かの決定を、リーチ乱数カウンタＣ３やその他のカウンタを用いて行うようにしてもよい。
【００９９】
変動種別カウンタＣＳは、例えば０〜１９８の範囲内で順に１ずつ加算され、最大値に達した後０に戻る構成となっている。変動種別カウンタＣＳは、メイン表示部４３の結果表示部ＡＳにおける変動表示時間と、図柄表示装置４１における図柄の変動表示時間とをＭＰＵ２０２において決定する上で用いられる。変動種別カウンタＣＳは、後述する通常処理が１回実行される毎に１回更新され、当該通常処理内の残余時間内でも繰り返し更新される。そして、結果表示部ＡＳにおける変動表示の開始時及び図柄表示装置４１による図柄の変動開始時における変動パターン決定に際して変動種別カウンタＣＳのバッファ値が取得される。
【０１００】
電動役物開放カウンタＣ４は、例えば、０〜２４９の範囲内で順に１ずつ加算され、最大値に達した後０に戻る構成となっている。電動役物開放カウンタＣ４は定期的に更新され、スルーゲート３５に遊技球が入賞したタイミングでＲＡＭ２０４の電役保留エリア２３３に格納される。そして、所定のタイミングにおいて、その格納された電動役物開放カウンタＣ４の値によって電動役物３４ａを開放状態に制御するか否かの抽選が行われる。例えば、Ｃ４＝０〜１９９であれば、電動役物３４ａを開放状態に制御し、Ｃ４＝２００〜２４９であれば、電動役物３４ａを開放状態に制御しない。
【０１０１】
既に説明したように、ＭＰＵ２０２では、少なくとも変動種別カウンタＣＳのバッファ値を用いて、結果表示部ＡＳにおける変動表示時間が決定されるが、その決定に際してはＲＯＭ２０３の変動表示時間テーブル記憶エリア２２３が用いられる。また、ＭＰＵ２０２では、実行エリアＡＥに格納されている大当たり乱数カウンタＣ１の値及び大当たり種別カウンタＣ２の値を用いて、結果表示部ＡＳにおける停止結果が決定されるが、その決定に際してはＲＯＭ２０３の停止結果テーブル記憶エリア２２４が用いられる。
【０１０２】
＜保留球格納エリア２３２の構成＞
次に、保留球格納エリア２３２の構成を、図７を用いてより詳細に説明する。
【０１０３】
結果表示部用保留エリアＲＥは、各作動口３３，３４への遊技球の入賞履歴に合わせて、大当たり乱数カウンタＣ１、大当たり種別カウンタＣ２及びリーチ乱数カウンタＣ３の各値を時系列的に格納するための保留エリアである。以下には、結果表示部用保留エリアＲＥの構成について説明する。
【０１０４】
結果表示部用保留エリアＲＥは、第１保留エリアＲＥ１、第２保留エリアＲＥ２、第３保留エリアＲＥ３、第４保留エリアＲＥ４の４つの記憶エリアと、保留数記憶エリアＮＡとより構成されている。各記憶エリアＲＥ１〜ＲＥ４は、大当たり乱数カウンタＣ１の値を格納するための記憶領域と、大当たり種別カウンタＣ２の値を格納するための記憶領域と、リーチ乱数カウンタＣ３の値を格納するための記憶領域とがそれぞれ構成されている。この第１保留エリアＲＥ１〜第４保留エリアＲＥ４の４つの記憶エリアにより、各作動口３３，３４への遊技球の入賞履歴が最大４個まで保留記憶されるようになっている。
【０１０５】
図７に示す実行エリアＡＥは、結果表示部ＡＳの変動表示を開始する際に、結果表示部用保留エリアＲＥの保留エリアに格納された各値を移動させるためのエリアである。実行エリアＡＥは、結果表示部用保留エリアＲＥの１つ分の記憶エリアと同一構成となっている。
【０１０６】
＜主制御装置８１にて実行される各種処理について＞
次に、主制御装置８１内のＭＰＵ２０２にて各遊技回での遊技を進行させる上で実行されるタイマ割込み処理及び通常処理を説明する。なお、ＭＰＵ２０２では、上記タイマ割込み処理及び通常処理の他に、電源投入に伴い起動されるメイン処理及びＮＭＩ端子（ノンマスカブル端子）への停電信号の入力により起動されるＮＭＩ割込み処理が実行されるが、これらの処理については説明を省略する。
【０１０７】
＜タイマ割込み処理＞
先ず、タイマ割込み処理について、図８のフローチャートを参照しながら説明する。本処理はＭＰＵ２０２により定期的に（例えば２ｍｓｅｃ周期で）起動される。
【０１０８】
ステップＳ１０１では、各種入賞スイッチの読み込み処理を実行する。すなわち、主制御装置８１に接続されている各種スイッチの状態を読み込むと共に、当該スイッチの状態を判定して検出情報（入賞検知情報）を保存する。
【０１０９】
その後、ステップＳ１０２では、乱数初期値カウンタＣＩＮＩの更新を実行する。具体的には、乱数初期値カウンタＣＩＮＩを１インクリメントすると共に、そのカウンタ値が最大値に達した際０にクリアする。そして、乱数初期値カウンタＣＩＮＩの更新値を、ＲＡＭ２０４の該当するバッファ領域に格納する。
【０１１０】
続くステップＳ１０３では、大当たり乱数カウンタＣ１、大当たり種別カウンタＣ２、リーチ乱数カウンタＣ３及び電動役物開放カウンタＣ４の更新を実行する。具体的には、大当たり乱数カウンタＣ１、大当たり種別カウンタＣ２、リーチ乱数カウンタＣ３及び電動役物開放カウンタＣ４をそれぞれ１インクリメントすると共に、それらのカウンタ値が最大値に達した際それぞれ０にクリアする。そして、各カウンタＣ１〜Ｃ４の更新値を、ＲＡＭ２０４の該当するバッファ領域に格納する。
【０１１１】
その後、ステップＳ１０４にて、作動口３３，３４への入賞に伴う作動口用の入賞処理を実行する。作動口用の入賞処理では、各作動口３３，３４のいずれかに遊技球が入賞したことに基づいて、その入賞に基づいて遊技球を払い出させる賞球コマンドを設定するとともに、大当たり乱数カウンタＣ１、大当たり種別カウンタＣ２及びリーチ乱数カウンタＣ３の各値を格納する情報取得処理を行う。
【０１１２】
具体的には、遊技球が各作動口３３，３４に入賞（始動入賞）したか否かを各作動口３３，３４に対応してそれぞれ設けられた検知センサの検知状態により判定する。遊技球が上作動口３３に入賞したと判定すると、払出制御装置９７に遊技球を３個払い出させるための賞球コマンドをセットする。また、遊技球が下作動口３４に入賞したと判定すると、払出制御装置９７に遊技球を４個払い出させるための賞球コマンドをセットする。
【０１１３】
また、情報取得処理では、保留数記憶エリアＮＡの値が上限値（本実施の形態では４）未満であることに基づいて、保留数記憶エリアＮＡの値を１インクリメントするとともに、前記ステップＳ１０３にて更新した大当たり乱数カウンタＣ１、大当たり種別カウンタＣ２及びリーチ乱数カウンタＣ３の各値を、結果表示部用保留エリアＲＥの空き記憶領域エリアのうち最初の記憶エリア、すなわち上記１インクリメントした保留数記憶エリアＮＡと対応する保留エリアに格納する。
【０１１４】
なお、作動口用の入賞処理では、各作動口３３，３４に遊技球が入賞し、大当たり乱数カウンタＣ１、大当たり種別カウンタＣ２及びリーチ乱数カウンタＣ３の各値を記憶した場合、保留コマンドを設定する。この保留コマンドは、後述する通常処理の外部出力処理（ステップＳ２０１）にて音声ランプ制御装置８２に送信される。音声ランプ制御装置８２では、保留コマンドを受信した場合には、第１保留ランプ部４５を点灯させるための処理を実行する。第１保留ランプ部４５は左側から順次点灯されるようになっており、例えば保留数記憶エリアＮＡの値が１であれば左端の第１保留ランプ部４５が点灯され、保留数記憶エリアの値が４であれば全ての第１保留ランプ部４５が点灯されるようになっている。
【０１１５】
ステップＳ１０４にて作動口用の入賞処理を実行したらステップＳ１０５に進む。ステップＳ１０５では、スルーゲート３５への入賞に伴うスルー用の入賞処理を実行する。スルー用の入賞処理では、遊技球がスルーゲート３５に入賞したか否かを判定する。そして、役物保留記憶数ＳＮが上限値（本実施の形態では４）未満である場合、役物保留記憶数ＳＮの値を１インクリメントするとともに、前記ステップＳ１０３にて更新した電動役物開放カウンタＣ４の値をＲＡＭ２０４の電役保留エリア２３３の空き記憶エリアのうち最初のエリアに格納する。スルー用の入賞処理を実行したら、本タイマ割込み処理を終了する。
【０１１６】
なお、スルー用の入賞処理では、第２保留ランプ部４７を点灯させるための処理を実行する。第２保留ランプ部４７は左側から順次点灯されるようになっており、例えば役物保留記憶数ＳＮが１であれば左端の第２保留ランプ部４７が点灯され、役物保留記憶数ＳＮが４であれば全ての第２保留ランプ部４７が点灯されるようになっている。
【０１１７】
＜通常処理＞
次に、通常処理の流れを図９のフローチャートを参照しながら説明する。通常処理は電源投入に伴い起動されるメイン処理が実行された後に開始される処理であり、通常処理では遊技の主要な処理が実行される。その概要として、ステップＳ２０１〜Ｓ２０７の処理が４ｍｓｅｃ周期の定期処理として実行され、その残余時間でステップＳ２０９，Ｓ２１０のカウンタ更新処理が実行される構成となっている。
【０１１８】
通常処理において、ステップＳ２０１では、タイマ割込み処理又は前回の通常処理で設定したコマンド等の出力データをサブ側の各制御装置に送信する。具体的には、賞球コマンドの有無を判定し、賞球コマンドが設定されていればそれを払出制御装置９７に対して送信する。また、変動用コマンド、種別コマンド、変動終了コマンド等の演出用コマンドが設定されている場合にはそれを音声ランプ制御装置８２に対して送信する。
【０１１９】
次に、ステップＳ２０２では、変動種別カウンタＣＳの更新を実行する。具体的には、変動種別カウンタＣＳを１インクリメントすると共に、カウンタ値が最大値に達した際にはカウンタ値を０にクリアする。そして、変動種別カウンタＣＳの更新値を、ＲＡＭ２０４における抽選用カウンタエリア２３１の該当するバッファ領域に格納する。
【０１２０】
続くステップＳ２０３では、払出制御装置９７より受信した賞球計数信号や払出異常信号を読み込む。その後、ステップＳ２０４では、各遊技回における遊技を制御するための遊技回制御処理を実行する。この遊技回制御処理では、大当たり判定、図柄表示装置４１による図柄の変動表示の設定、変動表示を行う側の結果表示部ＡＳの表示制御などを行う。遊技回制御処理の詳細は後述する。
【０１２１】
その後、ステップＳ２０５では、遊技状態を移行させるための遊技状態移行処理を実行する。この遊技状態移行処理により、遊技回制御処理における大当たり判定の結果に基づいて遊技状態が開閉実行モード、高確率モード、高頻度サポートモードなどに移行する。また、遊技状態が開閉実行モードである場合には、大入賞口３２ａが閉鎖状態となったり、開放状態となったりする大入賞口開閉処理が実行される。
【０１２２】
ステップＳ２０６では、下作動口３４に設けられた電動役物３４ａを駆動制御するための電役サポート用処理を実行する。この電役サポート用処理では、ＲＡＭ２０４の電役保留エリアに格納されている情報を用いて電動役物３４ａを開放状態とするか否かの判定、電動役物３４ａの開閉処理及び役物用表示部４４の表示制御などを行う。
【０１２３】
ステップＳ２０７では、遊技球の発射制御を行うための発射制御処理を実行する。発射制御処理が実行されることにより、発射ハンドル５４に対して発射操作が継続されている状況では、所定の発射周期である０．６ｓｅｃに１個の遊技球が発射される。また、発射制御処理では、発射ハンドル５４に対して発射操作が継続されている場合、発射操作が行われていることに対応した信号を音声ランプ制御装置８２に出力する。音声ランプ制御装置８２は、その信号を入力することで、発射操作が行われていることを把握できる。
【０１２４】
続くステップＳ２０８では、次の通常処理の実行タイミングに至ったか否か、すなわち前回の通常処理の開始から所定時間（本実施の形態では４ｍｓｅｃ）が経過したか否かを判定する。そして、次の通常処理の実行タイミングに至るまでの残余時間内において、乱数初期値カウンタＣＩＮＩ及び変動種別カウンタＣＳの更新を繰り返し実行する（ステップＳ２０９，Ｓ２１０）。つまり、ステップＳ２０９では、乱数初期値カウンタＣＩＮＩの更新を実行する。具体的には、乱数初期値カウンタＣＩＮＩを１インクリメントするとともに、そのカウンタ値が最大値に達した際０にクリアする。そして、乱数初期値カウンタＣＩＮＩの更新値を、ＲＡＭ２０４における抽選用カウンタエリア２３１の該当するバッファ領域に格納する。また、ステップＳ２１０では、変動種別カウンタＣＳの更新を実行する。具体的には、変動種別カウンタＣＳを１インクリメントするとともに、そのカウンタ値が最大値に達した際０にクリアする。そして、変動種別カウンタＣＳの更新値を、ＲＡＭ２０４における抽選用カウンタエリア２３１の該当するバッファ領域に格納する。
【０１２５】
ここで、ステップＳ２０１〜Ｓ２０７の各処理の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、大当たり乱数カウンタＣ１の初期値）をランダムに更新することができ、同様に変動種別カウンタＣＳについてもランダムに更新することができる。
【０１２６】
＜遊技回制御処理＞
次に、ステップＳ２０４の遊技回制御処理を図１０のフローチャートを参照して説明する。
【０１２７】
先ずステップＳ３０１にて、開閉実行モード中か否かを判定する。具体的には、ＲＡＭ２０４の各種フラグ格納エリア２３５における開閉実行モードフラグ格納エリア（開閉実行状態情報記憶手段）に開閉実行モードフラグ（開閉実行状態情報）が格納されているか否かを判定する。当該開閉実行モードフラグは、後述する遊技状態移行処理にて遊技状態を開閉実行モードに移行させる場合に格納され、同じく遊技状態移行処理にて開閉実行モードを終了させる場合に消去される。
【０１２８】
開閉実行モード中である場合には、ステップＳ３０２以降の処理、すなわちステップＳ３０３〜ステップＳ３０９の遊技回開始用処理及びステップＳ３１０〜ステップＳ３１３の遊技回進行用処理のいずれも実行することなく、本遊技回制御処理を終了する。つまり、開閉実行モード中である場合には、作動口３３，３４への入賞が発生しているか否かに関係なく、遊技回が開始されることはない。
【０１２９】
開閉実行モード中でない場合には、ステップＳ３０２にて、メイン表示部４３が変動表示中であるか否かを判定する。具体的には、結果表示部ＡＳが変動表示中であるか否かを判定する。なお、この判定は、ＲＡＭ２０４の各種フラグ格納エリア２３５における変動表示中フラグ格納エリア（変動表示中情報記憶手段）に変動表示中フラグ（変動表示中情報）が格納されているか否かを判定することにより行う。変動表示中フラグは、結果表示部ＡＳについて変動表示を開始させる場合に格納され、その変動表示が終了する場合に消去される。
【０１３０】
メイン表示部４３が変動表示中でない場合には、ステップＳ３０３〜ステップＳ３０９の遊技回開始用処理に進む。遊技回開始用処理では、先ずステップＳ３０３にて、保留数記憶エリアＮＡの値が「０」か否かを判定する。保留数記憶エリアＮＡの値が「０」である場合とは、第１保留エリアＲＥ１〜第４保留エリアＲＥ４のいずれについても入賞履歴が記憶されていないことを意味する。したがって、そのまま遊技回制御処理を終了する。
【０１３１】
保留数記憶エリアＮＡの値が「０」でない場合には、ステップＳ３０４にて、結果表示部用保留エリアＲＥに記憶されているデータを変動表示用に設定するためのデータ設定処理を実行する。
【０１３２】
データ設定処理では、保留数記憶エリアＮＡの値を１ディクリメントする。そして、結果表示部用保留エリアＲＥにおける第１保留エリアＲＥ１に格納されたデータを実行エリアＡＥに移動する。さらに、第１保留エリアＲＥ１〜第４保留エリアＲＥ４に格納されたデータを下位側にシフトさせる。具体的には、第１保留エリアのデータをクリアすると共に、第２保留エリア→第１保留エリア、第３保留エリア→第２保留エリア、第４保留エリア→第３保留エリアといった具合に各保留エリア内のデータをシフトする。
【０１３３】
また、各保留エリアのデータをシフトした場合、保留エリアのデータのシフトが行われたことをサブ側の制御装置である音声ランプ制御装置８２に認識させるための情報であるシフト時コマンド（シフト発生情報）を設定する。設定されたシフト時コマンドは、通常処理（図９）におけるステップＳ２０１にて、音声ランプ制御装置８２に送信される。音声ランプ制御装置８２では、受信したシフト時コマンドに基づいて、可変表示ユニット３６の第１保留ランプ部４５における表示を保留個数の減少に対応させて変更するための処理を実行する。
【０１３４】
データ設定処理を実行したらステップＳ３０５に進む。ステップＳ３０５では、当否判定処理を実行する。当否判定処理では、当否抽選モードが高確率モードであるか否かを判定する。そして、高確率モードである場合には高確率モードに対応した当否判定処理を実行し、低確率モードである場合には低確率モードに対応した当否判定処理を実行する。当否判定処理を実行する場合、実行エリアＡＥに格納されている大当たり乱数カウンタＣ１の値が、各抽選モードにおける大当たり当選として設定されている値と一致しているか否かを判定する。つまり、当否判定処理では、通常大当たり結果、確変大当たり結果、及び大当たり非当選に対応した外れ結果のうち、いずれに対応しているか否かを判定している。また、大当たり当選に対応している場合には、その大当たり当選が、通常大当たり結果及び確変大当たり結果のいずれに対応しているかを実行エリアＡＥに格納されている大当たり種別カウンタＣ２の値から決定する。
【０１３５】
また、当否判定処理が実行された場合、今回の遊技回における結果表示部ＡＳの変動表示時間が設定される。具体的には、実行エリアＡＥに格納されているリーチ乱数カウンタＣ３の値から、今回の遊技回がリーチ発生に対応しているか否かを判定する。リーチ発生に対応している場合には、ＲＯＭ２０３の変動表示時間テーブル記憶エリア２２３に記憶されているリーチ発生用変動表示時間テーブルを参照して、今回の変動種別カウンタＣＳの値に対応した変動表示時間情報を取得し、その変動表示時間情報をＲＡＭ２０４の各種カウンタエリア２３４に設けられた変動表示時間カウンタエリア（変動表示時間計測手段）にセットする。また、リーチ乱数カウンタＣ３の値がリーチ非発生に対応している場合には、変動表示時間テーブル記憶エリア２２３に記憶されているリーチ非発生用変動表示時間テーブルを参照して、今回の変動種別カウンタＣＳの値に対応した変動表示時間情報を取得し、変動表示時間カウンタエリアにセットする。なお、当否判定処理の結果が、大当たり当選に対応している場合、リーチ乱数カウンタＣ３の値に関らず、リーチ発生用変動表示時間テーブルが参照されるようになっている。
【０１３６】
続くステップＳ３０６では停止結果設定処理を実行する。停止結果設定処理では、当否判定処理の結果に対応した結果表示部ＡＳの停止結果を設定する。具体的には、通常大当たり結果に対応した停止結果、確変大当たり結果に対応した停止結果及び外れ結果に対応した停止結果が、予めＲＡＭ２０４に記憶されている。そして、停止結果設定処理にて、記憶されている停止結果のうちいずれの停止結果とするかが決定される。
【０１３７】
ステップＳ３０７では種別コマンドを設定する。種別コマンドには、遊技結果の情報が含まれる。つまり、種別コマンドには、遊技結果の情報として、確変大当たり結果の情報、通常大当たり結果の情報、外れ結果の情報が含まれる。
【０１３８】
続くステップＳ３０８では、変動用コマンドを設定する。変動用コマンドには、リーチ発生の有無や変動表示時間の情報が含まれている。
【０１３９】
ステップＳ３０７にて設定された種別コマンド及びステップＳ３０８にて設定された変動用コマンドのそれぞれは、通常処理（図９）におけるステップＳ２０１にて、音声ランプ制御装置８２に送信される。音声ランプ制御装置８２では、受信した変動用コマンド及び種別コマンドに基づいて、その遊技回における演出の内容を決定し、その決定した演出の内容が実行されるように各種機器を制御する。また、音声ランプ制御装置８２では、その受信した変動用コマンド及び種別コマンドをそのまま表示制御装置２１２に送信する。表示制御装置２１２では、変動用コマンド及び種別コマンドに基づいて、各遊技回に対応した図柄の変動表示が行われるように図柄表示装置４１を表示制御する。
【０１４０】
その後、ステップＳ３０９にて、結果表示部ＡＳにおいて絵柄の変動表示を開始させる。その後、本遊技回制御処理を終了する。
【０１４１】
一方、ステップＳ３０２にてメイン表示部４３が変動表示中である場合には、ステップＳ３１０〜ステップＳ３１３の遊技回進行用処理を実行する。遊技回進行用処理では、先ずステップＳ３１０にて、今回の遊技回の変動表示時間が経過したか否かを判定する。具体的には、ＲＡＭ２０４の変動表示時間カウンタエリアに格納されている変動表示時間情報の値が「０」となったか否かを判定する。この変動表示時間情報の値は、タイマ割込み処理（図８）が起動される度に、１ディクリメントされる。
【０１４２】
変動表示時間が経過していない場合には、ステップＳ３１１にて変動表示用処理を実行する。変動表示用処理では、今回の遊技回に係る結果表示部における表示態様を変更する。その後、本遊技回制御処理を終了する。
【０１４３】
変動表示時間が経過している場合には、ステップＳ３１２にて変動終了処理を実行する。変動終了処理では、上記ステップＳ３０６にて決定した今回の遊技回に係る結果表示部にて表示されるように結果表示部ＡＳを表示制御する。
【０１４４】
続くステップＳ３１３では、変動終了コマンドを設定する。その後、本遊技回制御処理を終了する。ステップＳ３１３にて設定された変動終了コマンドは、通常処理（図９）におけるステップＳ２０１にて、音声ランプ制御装置８２に送信される。音声ランプ制御装置８２では、受信した変動終了コマンドに基づいて、その遊技回における演出を終了させる。また、当該変動終了コマンドは、音声ランプ制御装置８２から表示制御装置２１２に送信され、表示制御装置２１２では当該変動終了コマンドを受信することにより、その遊技回における最終停止図柄の組み合わせを確定表示（最終停止表示）させる。
【０１４５】
＜図柄表示装置４１における表示態様について＞
ここで、サブ側の制御装置にて実行される制御を説明するに先立ち、図柄表示装置４１における表示態様について説明する。
【０１４６】
図柄表示装置４１における表示モードとして第１表示モードと第２表示モードとが設定されている。表示モードに応じて図柄表示装置４１に表示されるキャラクタが異なるようになっている。表示されたキャラクタを把握することによって、現在の表示モードがいずれの表示モードであるかを遊技者が把握できるようになっている。なお、各表示モードにてキャラクタを表示させるための情報は、表示制御装置２１２のＲＯＭに記憶されている。
【０１４７】
設定されている表示モードは、操作スイッチ１００が操作されることにより、切り換えられる。上述したように、音声ランプ制御装置８２は、操作スイッチ１００が操作されたか否かを把握できる。音声ランプ制御装置８２は、所定のタイミングにて操作スイッチ１００が操作された場合、設定されている表示モードを切り換えるように、表示制御装置２１２にコマンドを出力する。そのコマンドを入力することで、表示制御装置２１２は、設定されている表示モードを切り換えるよう図柄表示装置４１を制御する。
【０１４８】
また、本実施の形態では、図柄表示装置４１にて実行される演出として、操作スイッチ１００が操作されたか否かに応じて図柄表示装置４１の表示態様が異なる特別演出が設定されている。音声ランプ制御装置８２は、特別演出が実行される遊技回にて、操作スイッチ１００が操作された場合、操作スイッチ１００が操作されたことに対応したコマンドを表示制御装置２１２に出力する。表示制御装置２１２は、そのコマンドを受信したことに基づく特別演出を実行するよう図柄表示装置４１を制御する。
【０１４９】
特別演出が実行される頻度は、図柄表示装置４１における表示モードに応じて異なるようになっている。具体的には、第１表示モードが設定されている場合の方が、第２表示モードが設定されている場合よりも、特別演出が実行される頻度が高くなっている。
【０１５０】
以上のように、本実施の形態では、設定されている表示モードに応じて、表示されるキャラクタや特別演出が実行される頻度が異なるようになっている。表示モードの切換を遊技者の操作スイッチ１００の操作に基づいて実行することにより、特別演出が実行される頻度や、表示されるキャラクタを遊技者が選択できる。
【０１５１】
＜表示モード変更処理＞
音声ランプ制御装置８２にて実行される表示モード変更処理について図１１のフローチャートを参照して説明する。
【０１５２】
先ず、ステップＳ４０１にて、開閉実行モード中であるか否かを判定する。具体的には、開閉実行モードに移行している場合、開閉実行フラグが音声ランプ制御装置８２のＲＡＭ２５１における各種フラグ格納エリア２５３に設けられた開閉実行フラグ格納エリアに格納されている。この開閉実行フラグは、開閉実行モードが終了した場合に消去される。ステップＳ４０１では、開閉実行フラグが格納されているか否かを判定し、開閉実行フラグが格納されている場合、開閉実行モード中であると判定する。開閉実行モード中である場合、本表示モード変更処理を終了する。
【０１５３】
開閉実行モード中でない場合、ステップＳ４０２に進む。ステップＳ４０２では、図柄の変動表示中であるか否かを判定する。具体的には、図柄の変動表示中である場合、各種フラグ格納エリア２５３に設けられた変動フラグ格納エリアに変動フラグが格納されている。この変動フラグは、主制御装置８１から変動用コマンドを受信した場合に格納されるとともに、変動終了コマンドを受信した場合に消去される。ステップＳ４０２では、変動フラグが格納されているか否かを判定し、変動フラグが格納されている場合、変動表示中であると判定する。変動表示中である場合、本表示モード変更処理を終了する。
【０１５４】
変動表示中でない場合、ステップＳ４０３に進む。ステップＳ４０３では、操作スイッチ１００が操作されたか否かを判定する。具体的には、操作スイッチ１００が操作された場合、操作スイッチ１００が操作されたことに対応した操作信号が音声ランプ制御装置８２に入力される。音声ランプ制御装置８２は、その操作信号を入力しているか否かによって、操作スイッチ１００が操作されているか否かを判定する。操作スイッチ１００が操作されていない場合、本表示モード変更処理を終了する。
【０１５５】
ステップＳ４０３にて操作スイッチ１００が操作されていると判定した場合、設定されている表示モードを変更するタイミングであることを意味している。
【０１５６】
ステップＳ４０４では、各種フラグ格納エリア２５３における第１表示モードフラグ格納エリアに第１表示モードフラグが格納されているか否かを判定する。第１表示モードフラグは、設定されている表示モードが第１表示モードである場合に格納されるフラグである。第１表示モードフラグが格納されていない場合、ステップＳ４０５に進む。ステップＳ４０５では、第１表示モードフラグを第１表示モードフラグ格納エリアに格納する。
【０１５７】
その後、ステップＳ４０６では、第１表示モードコマンドを表示制御装置２１２に出力する。表示制御装置２１２は、第１表示モードコマンドを入力した場合、図柄表示装置４１に表示されている表示モードを第１表示モードに変更する。第１表示モードコマンドを出力したら本表示モード変更処理を終了する。
【０１５８】
ステップＳ４０４にて第１表示モードフラグが格納されている場合、ステップＳ４０７に進む。ステップＳ４０７では、第１表示モードフラグ格納エリアに格納されている第１表示モードフラグを消去する。第１表示モードフラグが消去されることにより、設定されている表示モードが第２表示モードであると音声ランプ制御装置８２にて把握できる。
【０１５９】
続くステップＳ４０８では、第２表示モードコマンドを表示制御装置２１２に出力する。表示制御装置２１２は、第２表示モードコマンドを入力した場合、図柄表示装置４１に表示されている表示モードを第２表示モードに変更する。第２表示モードコマンドを出力したら本表示モード変更処理を終了する。
【０１６０】
本実施の形態では、開閉実行モード中である場合、及び図柄表示装置４１にて図柄の変動表示が行われている場合、操作スイッチ１００が操作されたとしても、図柄表示装置４１における表示モードが変更されない構成とした。開閉実行モードである場合や、図柄の変動表示が実行されている場合、図柄表示装置４１にて何らかの演出が実行されていることが考えられる。開閉実行モード中である場合、及び図柄表示装置４１にて図柄の変動表示が行われている場合に、表示モードが変更されないことは、演出が実行されている場合に、その演出の中途で表示モードが変更され演出の内容を変更する必要が発生することを防止するための工夫である。
【０１６１】
＜変動表示制御処理＞
音声ランプ制御装置８２にて実行される変動表示制御処理について図１２のフローチャートを参照して説明する。
【０１６２】
ステップＳ５０１では、図柄の変動表示中であるか否かを判定する。具体的には、表示モード変更処理におけるステップＳ４０２と同様に、変動フラグが変動フラグ格納エリアに格納されているか否かを判定する。図柄の変動表示中でない場合、ステップＳ５０２に進む。ステップＳ５０２では、主制御装置８１から変動用コマンドを受信しているか否かを判定する。変動用コマンドを受信していない場合、本変動表示制御処理を終了する。
【０１６３】
ステップＳ５０２にて変動用コマンドを受信している場合、ステップＳ５０３に進む。ステップＳ５０３では、変動開始用処理を実行する。変動開始用処理を実行したら本変動表示制御処理を終了する。
【０１６４】
変動開始用処理について図１３のフローチャートを参照して説明する。
【０１６５】
先ず、ステップＳ６０１では、今回受信した変動用コマンドを読み出し、当該コマンドからリーチ発生の有無の情報及び変動表示時間の情報を特定する。また、既に説明したように主制御装置８１は変動用コマンドを送信する場合には種別コマンドも送信する。ステップＳ６０１では、今回受信した変動用コマンドとともに受信している種別コマンドを読み出し、当該コマンドから、確変大当たり結果の情報、通常大当たり結果の情報又は外れ結果の情報といった遊技結果の情報を特定する。そして、ステップＳ６０１では、上記特定した情報から、大当たり当選の有無の情報、大当たり当選である場合には大当たり種別の情報、大当たり非当選である場合にはリーチ発生の有無の情報、及び変動表示時間の情報を把握し、その把握した情報をレジスタに記憶する。
【０１６６】
続くステップＳ６０２では、ステップＳ６０１にて把握した情報から今回の遊技回にて大当たり当選となるか否かを判定する。大当たり当選となる場合、ステップＳ６０３に進む。
【０１６７】
ステップＳ６０３では、特別演出抽選実行処理を実行する。特別演出抽選実行処理は、今回の遊技回にて特別演出を実行するか否かを決定するための処理である。具体的には、音声ランプ制御装置８２のＲＡＭ２５１に設けられた特別演出用抽選カウンタエリア２５５から値を取得する。そして、その取得した値が特別演出抽選の当選に対応したものか否かを判定する。本実施の形態では、ステップＳ６０３の特別演出抽選に当選する確率が５０％となっている。
【０１６８】
続くステップＳ６０４では、特別演出抽選に当選していたか否かを判定する。特別演出抽選に当選している場合、ステップＳ６０５に進む。ステップＳ６０５では、大当たりに対応した停止図柄設定処理を実行する。本停止図柄設定処理では、今回の遊技回が終了する場合の停止図柄を決定する。例えば、今回の大当たり種別が確変大当たり結果である場合には同一の特定図柄の組合せが最終的に停止表示されるように、今回の大当たり種別が通常大当たり結果である場合には同一の非特定図柄の組合せが最終的に停止表示されるように、停止図柄を決定する。具体的には、音声ランプ制御装置８２のＲＯＭ２５０に、停止図柄テーブル記憶エリアが設定されている。そして、ステップＳ６０５では、停止図柄テーブル記憶エリアに記憶されている大当たりに対応した停止図柄テーブルを参照して、大当たりに対応した停止図柄を決定する。
【０１６９】
その後、ステップＳ６０６では、特別演出に対応した変動表示態様設定処理を実行する。特別演出に対応した変動表示態様設定処理では、今回の遊技回が開始されてから終了されるまでに特別演出が実行されるように図柄の変動表示態様を決定する。具体的には、音声ランプ制御装置８２のＲＯＭ２５０に変動表示態様記憶エリアが設定されている。そして、ステップＳ６０６では、変動表示態様テーブル記憶エリアに記憶されている特別演出に対応した変動表示態様テーブルを参照して変動表示態様を決定する。
【０１７０】
続くステップＳ６０７では、決定した停止図柄の情報及び変動表示態様の情報を含むコマンドを表示制御装置２１２に出力する。このコマンドが出力されることにより、表示制御装置２１２では、今回の遊技回における停止図柄及び変動表示態様を把握する。そして、今回の遊技回において決定された停止図柄が最終停止表示されるように、決定された変動表示態様にて図柄の変動表示を行うように図柄表示装置４１を制御する。ステップＳ６０７の処理を実行したら本変動開始用処理を終了する。
【０１７１】
ステップＳ６０４にて特別演出抽選に当選していないと判定した場合、ステップＳ６０８に進む。ステップＳ６０８では、ステップＳ６０５と同様に、大当たりに対応した停止図柄設定処理を実行する。
【０１７２】
続くステップＳ６０９では、通常演出に対応した変動表示態様設定処理を実行する。本変動表示態様設定処理では、ステップＳ６０８にて決定した停止図柄設定が停止表示されるまでの図柄の変動表示態様を決定する。具体的には、ＲＯＭ２５０の変動表示態様記憶エリアに記憶された通常演出に対応した変動表示態様テーブルを参照して変動表示態様を決定する。本変動表示態様設定処理が実行された場合、今回の遊技回が開始されてから終了されるまでに特別演出が実行されることがないように図柄の変動表示態様を決定する。ステップＳ６０９の処理を実行したら、ステップＳ６０７にて、ステップＳ６０８にて決定した停止図柄の情報及びステップＳ６０９にて決定した変動表示態様の情報を含むコマンドを表示制御装置２１２に出力して本変動開始用処理を終了する。
【０１７３】
一方、ステップＳ６０２にて、大当たり当選ではないと判定した場合、ステップＳ６１０に進む。ステップＳ６１０では、外れに対応した変動態様設定処理を実行する。外れに対応した変動態様設定処理を実行したら本変動開始用処理を終了する。外れに対応した変動態様設定処理について図１４のフローチャートを参照して説明する。
【０１７４】
ステップＳ７０１では、変動開始用処理のステップＳ６０１にて把握した情報から今回の遊技回における変動表示がリーチ発生に対応しているか否かを判定する。ステップＳ７０１にてリーチ発生に対応した変動表示である場合、ステップＳ７０２に進む。
【０１７５】
ステップＳ７０２では、外れに対応した特別演出抽選処理を実行する。ここで、本実施の形態では、特別演出が実行される遊技回において操作スイッチ１００が操作された頻度に応じて、その後に特別演出が実行される頻度が異なるようになっている。外れに対応した特別演出抽選処理では、操作スイッチ１００の操作頻度に応じて特別演出を実行するか否かを決定する処理である。外れに対応した特別演出抽選処理については後述する。
【０１７６】
外れに対応した特別演出抽選処理を実行したらステップＳ７０３に進む。ステップＳ７０３では、ステップＳ７０２の特別演出抽選に当選していたか否かを判定する。特別演出抽選に当選していた場合、ステップＳ７０４に進む。
【０１７７】
ステップＳ７０４では、外れリーチに対応した停止図柄設定処理を実行する。本停止図柄設定処理では、リーチ図柄の組み合わせが形成されるように、かつ、最終停止図柄にて同一の図柄の組合せが停止されることがないように停止図柄を決定する。具体的には、ＲＯＭ２５０の停止図柄テーブル記憶エリアに記憶された外れリーチに対応した停止図柄テーブルを参照して停止図柄を決定する。
【０１７８】
その後、ステップＳ７０５では、特別演出に対応した変動表示態様設定処理を実行する。本変動表示態様設定処理では、図柄の変動表示が開始されてから、ステップＳ７０４にて決定した図柄が最終停止表示されるまでに、特別演出が実行されるように変動表示態様を決定する。具体的には、ＲＯＭ２５０の変動表示態様テーブル記憶に記憶された特別演出に対応した変動表示態様テーブルを参照して、特別演出に対応した変動表示態様を決定する。
【０１７９】
ステップＳ７０５の処理を実行したらステップＳ７０６に進む。ステップＳ７０６では、ステップＳ７０４にて決定した停止図柄の情報及びステップＳ７０５にて決定した変動表示態様の情報を含むコマンドを表示制御装置２１２に出力する。ステップＳ７０６の処理を実行したら本外れに対応した変動態様設定処理を終了する。
【０１８０】
ステップＳ７０３にて特別演出抽選に当選していないと判定した場合、ステップＳ７０７に進む。ステップＳ７０７では、ステップＳ７０４と同様に、外れリーチに対応した停止図柄設定処理を実行する。続くステップＳ７０８では、通常演出に対応した変動表示態様設定処理を実行する。本変動表示態様設定処理では、図柄の変動表示が開始されてから、ステップＳ７０７にて決定した図柄が最終停止表示されるまでに、特別演出が実行されることがないように変動表示態様を決定する。具体的には、ＲＯＭ２５０の変動表示態様テーブル記憶エリアに記憶された通常演出に対応した変動表示態様テーブルを参照して、通常演出に対応した変動表示態様を決定する。
【０１８１】
ステップＳ７０８の処理を実行したらステップＳ７０６に進む。ステップＳ７０６にて、ステップＳ７０７にて決定した停止図柄の情報及びステップＳ７０８にて決定した変動表示態様の情報を含むコマンドを表示制御装置２１２に出力する。その後、本外れに対応した変動態様設定処理を終了する。
【０１８２】
ステップＳ７０１にてリーチ発生に対応した変動表示でないと判定した場合、ステップＳ７０９に進む。ステップＳ７０９では、外れに対応した停止図柄設定処理を実行する。本停止図柄設定処理では、同一の図柄の組合せが最終停止表示されることがないように、かつ、リーチ図柄の組み合わせが停止表示されることがないように、停止図柄を決定する。具体的には、ＲＯＭ２５０の停止図柄テーブル記憶エリアに記憶された外れに対応した停止図柄テーブルを参照して停止図柄を決定する。
【０１８３】
続くステップＳ７１０では、外れに対応した変動表示態様設定処理を実行する。本変動表示態様設定処理では、図柄の変動表示が開始されてからステップＳ７０９にて決定した図柄が最終停止表示されるまでの変動表示態様を決定する。具体的には、ＲＯＭ２５０の変動表示態様テーブル記憶エリアに記憶された外れに対応した変動表示態様テーブルを参照して変動表示態様を決定する。
【０１８４】
その後、ステップＳ７０７にて、ステップＳ７０９にて決定した停止図柄の情報及びステップＳ７１０にて決定した変動表示態様の情報を含むコマンドを表示制御装置２１２に出力したら本外れに対応した変動態様設定処理を終了する。
【０１８５】
変動表示制御処理（図１２）の説明に戻る。ステップＳ５０１にて図柄の変動表示中である場合、ステップＳ５０４に進む。ステップＳ５０４では、変動終了コマンドを受信しているか否かを判定する。変動終了コマンドを受信していない場合、ステップＳ５０５に進む。ステップＳ５０５では、変動中用処理を実行する。変動中用処理について図１５のフローチャートを参照して説明する。
【０１８６】
ステップＳ８０１では、今回の遊技回における変動表示が特別演出の実行に対応しているか否かを判定する。具体的には、変動開始用処理が実行された場合、決定された停止図柄の情報及び変動表示態様の情報は、音声ランプ制御装置８２のレジスタに記憶されている。ステップＳ８０１では、変動開始用処理にて特別演出に対応した変動表示態様の情報がレジスタに記憶されているか否かを判定する。特別演出に対応した変動表示態様の情報がレジスタに記憶されていない場合、本変動中用処理を終了する。
【０１８７】
ステップＳ８０１にて、今回の遊技回における変動表示が特別演出の実行に対応していると判定した場合、ステップＳ８０２に進む。ステップＳ８０２では、ＲＡＭ２５１の各種フラグ格納エリア２５３に設けられた操作開始フラグ格納エリアに操作開始フラグが格納されているか否かを判定する。上述したように、特別演出は、操作スイッチ１００が操作されたか否かによって表示態様が異なるようになっている。また、特別演出が実行される遊技回では、操作スイッチ１００の操作が有効な期間が設定されている。そして、操作スイッチ１００の操作が有効な期間においては、操作スイッチ１００の操作を促す操作演出が実行される。操作開始フラグは、特別演出が実行される遊技回において、操作スイッチ１００の操作が有効となっている場合に格納されるフラグであり、操作演出が実行されている場合に格納されるフラグである。
【０１８８】
ステップＳ８０２にて操作開始フラグが格納されていない場合、ステップＳ８０３に進む。ステップＳ８０３では、操作演出の開始タイミングであるか否かを判定する。具体的には、今回の遊技回の変動表示時間と、特別演出に対応した変動表示態様設定処理にて決定した変動表示態様との組合せに対応付けて操作演出の開始タイミングが予め設定されている。ステップＳ８０３では、その予め設定された操作演出の開始タイミングであるか否かを判定する。ちなみに、音声ランプ制御装置８２のＲＡＭ２５１には、遊技回が開始されてから経過した期間を測定するための経過カウンタエリアが設けられている。経過カウンタエリアの値は所定周期にて更新されるようになっており、経過カウンタエリアの値から遊技回が開始されてから経過した期間を把握できるようになっている。この経過カウンタエリアの値から操作演出の開始タイミングであるか否かを判定する。操作演出の開始タイミングでない場合、本変動中用処理を終了する。
【０１８９】
ステップＳ８０３にて、操作演出の開始タイミングであると判定した場合、ステップＳ８０４に進む。ステップＳ８０４では、操作演出開始コマンドを設定する。操作演出開始コマンドは、後述するステップＳ８０６にて表示制御装置２１２に出力される。表示制御装置２１２は、操作演出開始コマンドを受信することにより、操作演出を開始するよう図柄表示装置４１を制御する。具体的には、操作演出が開始された場合、操作スイッチ１００を操作するよう遊技者に促すメッセージ（具体的には、「ＰＵＳＨ」）が図柄表示装置４１に表示される。
【０１９０】
続くステップＳ８０５では、操作開始フラグ格納エリアに操作開始フラグを格納する。その後、ステップＳ８０６にて操作演出開始コマンドを表示制御装置２１２に出力して本変動中用処理を終了する。
【０１９１】
ステップＳ８０２にて操作開始フラグが格納されている場合、ステップＳ８０７に進む。ステップＳ８０７では、操作演出の終了タイミングであるか否かを判定する。操作演出の終了タイミングは、操作演出の開始タイミングと同様に予め設定されているものであり、経過カウンタエリアの値から操作演出の終了タイミングであるか否かを判定する。
【０１９２】
ステップＳ８０７にて操作演出の終了タイミングではない場合、ステップＳ８０８に進む。ステップＳ８０８では、操作スイッチ１００が操作されたか否かを判定する。具体的には、操作スイッチ１００の操作に対応した信号を入力しているか否かを判定する。操作スイッチ１００が操作されていない場合、本変動中用処理を終了する。
【０１９３】
ステップＳ８０８にて操作スイッチ１００が操作されていると判定した場合、ステップＳ８０９に進む。ステップＳ８０９では、操作コマンドを設定する。操作コマンドには、操作スイッチ１００が操作されたことに対応した情報が含まれている。操作コマンドは、後述するステップＳ８１４にて表示制御装置２１２に出力される。表示制御装置２１２は、操作コマンドを受信した場合、操作スイッチ１００が操作された場合に対応した特別演出を実行するよう図柄表示装置４１を制御する。
【０１９４】
ステップＳ８０９にて操作コマンドを設定したらステップＳ８１０に進む。ステップＳ８１０では、今回の遊技回における変動表示が外れ結果に対応しているか否かを判定する。具体的には、変動開始用処理のステップＳ６０１にて把握した大当たり有無の結果から、今回の遊技回が外れ結果に対応しているか否かを判定する。
【０１９５】
ステップＳ８１０にて今回の遊技回が外れ結果に対応した変動表示であると判定した場合、ステップＳ８１１に進む。ステップＳ８１１では、ＲＡＭ２５１の各種フラグ格納エリア２５３に加算済みフラグが格納されているか否かを判定する。加算済みフラグは、特別演出が実行される遊技回にて、操作スイッチ１００が操作されている場合に格納されるフラグである。
【０１９６】
ステップＳ８１１にて加算済みフラグが格納されていないと判定した場合、ステップＳ８１２に進む。続くステップＳ８１２では、加算済みフラグ格納エリアに加算済みフラグを格納する。加算済みフラグは、外れ結果に対応した特別演出が実行される遊技回において、既に操作スイッチ１００が操作された回数がカウントされている場合に格納される。
【０１９７】
続くステップＳ８１３では、各カウンタエリア２５７に設けられた操作実行回数カウンタエリアの値が最大数であるか否かを判定する。操作実行回数カウンタエリアは、特別演出が実行される遊技回において操作スイッチ１００が操作された頻度を把握するためのものである。また、操作実行回数カウンタエリアの値は、操作スイッチ１００の操作に応じて更新されるようになっている。具体的には、操作スイッチ１００が操作されか否かによって、操作実行回数カウンタエリアの値が最小値である「１」から最大値である「１０」の値の範囲で変化するようになっている。
【０１９８】
ステップＳ８１３にて操作実行回数カウンタエリアの値が最大値でないと判定した場合、すなわち、操作実行回数カウンタエリアの値が「１０」でない場合、ステップＳ８１４に進む。ステップＳ８１４では、操作実行回数加算処理を実行する。操作実行回数加算処理では操作実行回数カウンタエリアの値を１インクリメントする。
【０１９９】
ステップＳ８１０にて外れ結果に対応した変動表示でない場合、ステップＳ８１１にて加算済みフラグが格納されている場合、ステップＳ８１３にて操作実行回数カウンタエリアの値が最大値である場合、又は、ステップＳ８１４の処理を実行した場合、ステップＳ８１５に進む。ステップＳ８１５では、操作コマンドを表示制御装置２１２に出力する。ステップＳ８１５の処理を実行したら本変動中用処理を終了する。
【０２００】
ステップＳ８１０の処理が実行されることにより、操作スイッチ１００が操作されたとしても、外れ結果に対応した遊技回ではない場合、すなわち、大当たり当選に対応した遊技回である場合には、操作実行回数加算処理が実行されない。本構成であることにより、本パチンコ機１０では、外れ結果に対応した遊技回において特別演出が実行された場合に操作スイッチ１００が操作された回数をカウントしていることとなる。
【０２０１】
また、ステップＳ８１１の処理が実行されることにより、加算済みフラグが格納されている場合、操作スイッチ１００が操作されたとしても、操作実行回数加算処理が実行されない。本構成であることにより、特別演出が実行される遊技回において操作スイッチ１００が複数回操作されたとしても、操作実行回数加算処理が複数回実行されることを防止できる。
【０２０２】
ステップＳ８０７にて操作演出の終了タイミングであると判定した場合、ステップＳ８１６に進む。ステップＳ８１６では、操作演出終了コマンドを設定する。操作演出終了コマンドには、操作演出の終了タイミングであることに対応した情報が含まれている。操作演出終了コマンドは、後述するステップＳ８１７にて表示制御装置２１２に出力される。表示制御装置２１２は、操作演出終了コマンドを受信した場合、操作演出を終了するよう図柄表示装置４１を制御する。これにより、図柄表示装置４１に表示されていたメッセージの表示が終了される。
【０２０３】
続くステップＳ８１７では、ステップＳ８１０と同様に、今回の遊技回における変動表示が外れ結果に対応したものであるか否かを判定する。外れ結果に対応した変動表示である場合、ステップＳ８１８に進む。ステップＳ８１８では、加算済みフラグ格納エリアに加算済みフラグが格納されているか否かを判定する。加算済みフラグが格納されていない場合、ステップＳ８１９に進む。ステップＳ８１９では、操作実行回数カウンタエリアの値が最小値であるか否かを判定する。操作実行回数カウンタエリアの値が最小値でない場合、ステップＳ８２０に進む。ステップＳ８２０では、操作実行回数減算処理を実行する。具体的には、操作実行回数カウンタエリアの値を１ディクリンメントする。
【０２０４】
ステップＳ８１７及びステップＳ８１８の処理が実行されることにより、外れ結果に対応した特別演出が実行される変動表示回において操作スイッチ１００が操作されなかった場合に、操作実行回数カウンタエリアの値が１ディクリメントされることとなる。
【０２０５】
ステップＳ８１７にて外れ結果に対応した変動表示でないと判定した場合、ステップＳ８１８にて加算済みフラグが格納されている場合、ステップＳ８１９にて操作実行回数カウンタエリアの値が最小値である場合、又はステップＳ８２０の処理を実行した場合、ステップＳ８２１に進む。
【０２０６】
ステップＳ８２１では、操作開始フラグ及び加算済みフラグを消去する。具体的には、操作開始フラグ格納エリア及び加算済みフラグ格納エリアのそれぞれをクリアする。なお、加算済みフラグが格納されていない場合、その状態が維持される。その後、ステップＳ８２２にて操作演出終了コマンドを表示制御装置２１２に出力したら本変動中用処理を終了する。
【０２０７】
変動表示制御処理（図１２）の説明に戻る。ステップＳ５０４にて変動終了コマンドを受信していると判定した場合、ステップＳ５０６に進む。ステップＳ５０６では、変動終了用処理を実行する。変動終了用処理では、音声ランプ制御装置８２にて遊技回を終了させる処理として、表示ランプ部６３及びスピーカ部６４を制御する。また、変動終了用処理では、終了用コマンドを表示制御装置２１２に出力する。表示制御装置２１２は、終了用コマンドを受信した場合、決定されていた停止図柄を停止表示させるように図柄表示装置４１を制御する。変動終了用処理を実行したら本変動表示制御処理を終了する。
【０２０８】
＜外れに対応した特別演出抽選処理＞
外れに対応した変動態様設定処理（図１４）におけるステップＳ７０２にて実行される外れに対応した特別演出抽選処理について図１６のフローチャートを参照して説明する。本特別演出抽選処理では、操作実行回数カウンタエリアの値と設定されている表示モードとに応じて特別演出が実行される頻度が異なるように特別演出抽選処理を実行する。
【０２０９】
先ず、ステップＳ９０１では、特別演出用抽選カウンタエリア２５５から値を取得する。ここで、特別演出用抽選カウンタエリア２５５は、「０〜９９」の範囲で値が更新されるループカウンタとなっている。また、特別演出用抽選カウンタエリア２５５の値は所定周期、具体的には２ｍｓｅｃ周期にて更新されるようになっている。
【０２１０】
続くステップＳ９０２では、操作実行回数把握処理を実行する。具体的には、操作実行回数カウンタエリアの値を把握する。その後ステップＳ９０３では、設定されている表示モードが第１表示モードであるか否かを判定する。具体的には、第１表示モードフラグ格納エリアに第１表示モードフラグが格納されているか否かを判定する。
【０２１１】
第１表示モードである場合、ステップＳ９０４にて第１表示モードに対応した比較処理を実行する。具体的には、ステップＳ９０１にて取得した特別演出用抽選カウンタエリアの値と、操作実行回数カウンタエリアの値と、を比較する。そして、ステップＳ９０１にて取得した特別演出用抽選カウンタエリア２５５の値が、０〜操作実行回数カウンタエリアの値に含まれているか否かを特定する。特別演出用抽選カウンタエリア２５５の値が、０〜操作実行回数カウンタエリアの値に含まれている場合、外れに対応した変動態様設定処理におけるステップＳ７０３にて特別演出抽選に当選と判定される。
【０２１２】
ステップＳ９０４の処理が実行されることにより、リーチ発生となる遊技回において特別演出が実行される頻度は、第１表示モードである場合には（操作実行回数カウンタエリアの値＋１）／１００となる。
【０２１３】
ステップＳ９０３にて表示モードが第１表示モードではないと判定した場合、ステップＳ９０５に進む。ステップＳ９０５では、第２表示モードに対応した比較処理を実行する。具体的には、ステップＳ９０１にて取得した特別演出用抽選カウンタエリアの値と、操作実行回数カウンタエリアの値と、を比較する。そして、ステップＳ９０１にて取得した特別演出用抽選カウンタエリア２５５の値が、０〜（操作実行回数カウンタエリア／２）の値に含まれているか否かを特定する。特別演出用抽選カウンタエリア２５５の値が、０〜（操作実行回数カウンタエリアの値／２）に含まれている場合、外れに対応した変動態様設定処理におけるステップＳ７０３にて特別演出抽選に当選と判定される。
【０２１４】
ステップＳ９０３〜ステップＳ９０５の処理が実行されることにより、例えば操作実行回数カウンタエリアの値が「１０」である場合、リーチ発生となる遊技回において特別演出が実行される頻度は、第１表示モードである場合に約１０％（１１％）となるように設定されており、第２表示モードである場合には約５％（６％）となるように設定されていることとなる。
【０２１５】
以上のように、第１表示モードと第２表示モードとでは、操作スイッチ１００の操作頻度が同じであったとしても特別演出抽選に当選する確率が異なる。具体的には、操作スイッチ１００の操作頻度が同じ（操作実行回数カウンタエリアの値が同じ）である場合に、第２表示モードよりも第１表示モードの方が、特別演出が実行される頻度が高くなるように特別演出抽選に当選する確率が異なっている。これにより、特別演出を多く実行させたい遊技者は第１表示モードが設定された状態にて遊技を行うようにすればよいし、特別演出を実行させる必要がない遊技者は第２表示モードが設定された状態にて遊技を行うようにすればよい。
【０２１６】
また、外れに対応した特別演出実行抽選処理が実行されることにより、特別演出が実行される遊技回にて操作スイッチ１００が操作された頻度に応じて特別演出が実行される頻度を異ならせることができる。具体的には、操作スイッチ１００の操作頻度が高いほど、特別演出抽選に当選する頻度が高くなる。これにより、操作スイッチ１００を頻繁に操作する遊技者に対しては特別演出を実行する機会を多くすることが可能となるとともに、操作スイッチ１００をあまり操作しない遊技者に対しては特別演出を実行する機会を少なくすることができる。具体的には、操作実行回数カウンタエリアの値は、外れ結果に対応した特別演出が実行される変動表示において操作スイッチ１００が操作されたか否かに応じて増減が発生する。本構成であることにより、特別演出が実行された場合に煩わしいと感じ操作スイッチ１００を操作しない遊技者に対しては特別演出が実行される頻度を低く、特別演出が実行されることを望み操作スイッチ１００を操作する遊技者に対しては特別演出が実行される頻度を高くすることができる。これにより、遊技者が望む頻度で特別演出を実行することが可能となる。この結果、特別演出が実行されることで煩わしさを感じる遊技者に対して特別演出が頻繁に実行され遊技者の遊技意欲が低下することを防止できる。また、特別演出が実行されないことで煩わしさを感じる遊技者に対して特別演出がほとんど実行されず遊技意欲が低下することを防止できる。
【０２１７】
＜操作頻度初期化処理＞
音声ランプ制御装置８２にて実行される操作頻度初期化処理について図１７のフローチャートを参照して説明する。操作頻度初期化処理は、特別演出実行回数カウンタエリアの値と、操作実行回数カウンタエリアの値と、をそれぞれ初期化するための処理である。操作頻度初期化処理は、音声ランプ制御装置８２にて２ｍｓｅｃ周期にて実行される。
【０２１８】
ステップＳ１００１では、サポートモードが高頻度サポートモードであるか否かを判定する。具体的には、ＲＡＭ２５１の各種フラグ格納エリア２５３に設けられた高頻度サポートフラグ格納エリアに高頻度サポートフラグが格納されているか否かを判定する。高頻度サポートフラグは、高頻度サポートモードが設定されている場合に格納されているフラグである。詳細には、高頻度サポートモードが設定された場合、主制御装置８１から音声ランプ制御装置８２に高頻度サポートコマンドが出力される。また、低頻度サポートモードが設定された場合、主制御装置８１から音声ランプ制御装置８２に低頻度サポートコマンドが出力される。高頻度サポートフラグは、高頻度サポートコマンドを受信してから低頻度サポートコマンドを受信するまでの期間において格納される。ステップＳ１００１にて高頻度サポートモードであると判定した場合、本操作頻度初期化処理を終了する。
【０２１９】
ステップＳ１００１にて高頻度サポートモードでない場合、ステップＳ１００２に進む。ステップＳ１００２では、遊技球発射操作有りか否かを判定する。具体的には、発射ハンドル５４に対して発射操作が行われている場合、主制御装置８１から音声ランプ制御装置８２に対して、発射操作が行われていることに対応した信号が出力される。ステップＳ１００２では、発射操作が行われていることに対応した信号を受信しているか否かを判定し、その信号を入力している場合に遊技球発射操作有りと判定する。
【０２２０】
ステップＳ１００２にて遊技球発射操作有りと判定した場合、ステップＳ１００３に進む。ステップＳ１００３では、ＲＡＭ２５１に設けられた初期化カウンタエリア２６０に「３０００００」をセットする。初期化カウンタエリア２６０に値をセットしたら本操作頻度初期化処理を終了する。
【０２２１】
一方、ステップＳ１００２にて、遊技球発射操作有りと判定しなかった場合、すなわち、発射操作が行われていない場合、ステップＳ１００４に進む。ステップＳ１００４では、初期化カウンタ減算処理を実行する。初期化カウンタ減算処理では、初期化カウンタエリア２６０の値を１ディクリメントする。
【０２２２】
初期化カウンタ減算処理を実行したらステップＳ１００５に進む。ステップＳ１００５では、初期化カウンタエリア２６０の値が「０」であるか否かを判定する。初期化カウンタエリア２６０の値が「０」でない場合、本操作頻度初期化処理を終了する。
【０２２３】
ステップＳ１００５にて初期化カウンタエリア２６０の値が「０」であると判定した場合、ステップＳ１００６に進む。ステップＳ１００６では、操作実行回数カウンタエリアを初期化する。具体的には、操作実行回数カウンタエリアに、当該操作実行回数カウンタエリアの最大値である「１０」を格納する。ステップＳ１００６の処理を実行したら本操作頻度初期化処理を終了する。
【０２２４】
以上のように、発射操作が行われた場合、初期化カウンタエリア２６０に「３０００００」がセットされるとともに、初期化カウンタエリア２６０の値が「０」となった場合に各回数カウンタエリアが初期化される。初期化カウンタエリア２６０の値は、発射操作が行われていない場合に２ｍｓｅｃ周期にて１ディクリメントされる。これにより、発射操作が行われることなく６００ｓｅｃが経過した場合に各回数カウンタエリアの値が初期化される。
【０２２５】
以上詳述した本実施の形態によれば、以下の優れた効果を奏する。
【０２２６】
特別演出が実行される遊技回において操作スイッチ１００が操作された頻度に応じて特別演出が実行される頻度が異なる構成とした。これにより、遊技が進行する過程において、操作スイッチ１００の操作を望む遊技者に対しては特別演出が実行される頻度を高くし、操作スイッチ１００の操作を望まない遊技者に対しては特別演出が実行される頻度を低くすることが可能となる。この結果、遊技者に応じて特別演出を実行する頻度を異ならせることが可能となる。本構成であることにより、操作スイッチ１００の操作を望む遊技者に対して特別演出が過度に実行されず、特別演出が実行されないことに対して遊技者が煩わしさを感じることを防止できる。また、操作スイッチ１００の操作を望まない遊技者に対して特別演出が過度に実行され、特別演出が実行されることに対して遊技者が煩わしさを感じることを防止できる。したがって、多様な遊技者に対応して特別演出の実行頻度を設定できる。
【０２２７】
操作スイッチ１００が操作された頻度に応じて、大当たり結果に対応していない遊技回において特別演出が実行される頻度を異ならせる構成とした。これにより、大当たり結果となる遊技回において特別演出が過度に実行されなくなることを防止できる。また、大当たり結果に対応した遊技回では、特別演出を実行するか否かの抽選を行う場合に、操作実行回数カウンタエリアの値が当該抽選の結果に影響を与えない構成とした。このため、大当たり結果に対応していない遊技回において特別演出が実行される頻度は操作実行回数カウンタエリアの値に応じて変動するのに対して、大当たり結果に対応した遊技回にて特別演出が実行される期待度は一律となる。本構成であることにより、特別演出が実行された場合に大当たり結果に対応している期待度を操作スイッチ１００の操作頻度に応じて異ならせることできる。ちなみに、大当たり結果に対応していない場合に特別演出が実行される頻度が高い場合、特別演出が実行されたとしても大当たり結果に対応している期待度が低い。また、大当たり結果に対応していない場合に特別演出が実行される頻度が低い場合、特別演出が実行された場合に大当たり結果に対応している期待度が高い。これにより、特別演出が実行された場合の大当たり結果に対応している期待度を、操作スイッチ１００の操作頻度によって遊技者が調整することが可能となる。この結果、特別演出が実行された場合に大当たり結果に対応している期待度を遊技者が望む期待度とすることが可能となる。したがって、特別演出が実行される頻度に遊技者が注目し、遊技者の遊技への注目度を高めることが可能となる。
【０２２８】
また、操作実行回数カウンタエリアの値に応じて特別演出が実行された場合に大当たり結果に対応する期待度が異なることで、特別演出が実行された場合に、その遊技回が大当たり結果に対応している期待度を、操作スイッチ１００の操作頻度を加味した状態にて遊技者に推測させることができる。この結果、特別演出が実行された場合に大当たり結果に対応している期待度が常に同一である構成に比べ、遊技者が遊技結果を推測する遊技が単調化することを防止できる。したがって、遊技者の遊技への注目度を高めることができる。
【０２２９】
遊技球の発射操作が行われることなく、所定期間が経過した場合に操作実行回数カウンタエリアの値を初期化する構成とした。遊技球の発射操作が行われることなく所定期間が経過した場合、遊技者が遊技を終了しているものと考えられる。遊技者が遊技を終了した場合、当該遊技者とは異なる遊技者によって遊技が開始されることが考えられる。この場合、遊技者が望む特別演出の実行頻度が異なるものと考えられる。この点、本実施の形態では、遊技者により発射操作が行われることなく所定期間が経過した場合に操作実行回数カウンタエリアの値を初期化することで、遊技者の変更があった場合に、特別演出が実行される頻度を再設定することが可能となる。これにより、遊技者が遊技を終了した後に、次の遊技者が遊技を開始した場合に、前の遊技者の望む頻度にて特別演出が実行される状態が維持されることを抑制できる。
【０２３０】
また、高頻度サポートモードにおいては、各実行回数カウンタエリアの値が初期化されない構成とした。高頻度サポートモードが設定されている場合、低頻度サポートモードが設定されている場合よりも、遊技者に有利となっている。このため、高頻度サポートモードにおいては、遊技者は遊技を終了しないものと考えられる。これにより、遊技者が遊技を終了していないにも関わらず、所定期間に亘って発射操作が行われなかった場合に、各実行回数カウンタエリアの値が初期化されることを防止できる。
【０２３１】
設定されている表示モードに応じて特別演出が実行される頻度を異ならせる構成とした。具体的には、第１表示モードの方が第２表示モードよりも特別演出が実行される頻度が高い構成とした。これにより、特別演出の実行をより望む遊技者は第１表示モードを、特別演出の実行を望まない遊技者は第２表示モードを設定すればよい。操作スイッチ１００の操作頻度が同じであったとしても、表示モードに応じて特別演出が実行される頻度に高低を設けたことにより、特別演出が実行される頻度を遊技者が望むものに設定し易くなる効果が期待される。遊技者が望む頻度にて特別演出が実行されることにより、遊技者の遊技意欲を高めることができる。
【０２３２】
操作実行回数カウンタエリアに上限値と下限値とをそれぞれ設定する構成とした。これにより、各特別演出の実行頻度が、極端に低くなったり、極端に高くなったりすることを防止できる。
【０２３３】
また、操作実行回数カウンタエリアの値が初期値（「１０」）よりも大きくなることがない構成とした。これにより、特別演出が実行される頻度が過度に高くなることを防止する効果を高めることが可能となる。ここで、特別演出が実行される頻度が極端に高い場合、特別演出が実行された場合に大当たり結果に対応している期待度が低くなることが考えられる。遊技者の遊技への注目度を高める上で、普段実行されない演出が実行された場合、大当たり結果に対応している期待度が極端に低くならないことが望ましい。この点、本実施の形態では、特別演出が実行された場合に大当たり結果に対応している期待度が、極端に低くなることを防止できる。また、操作実行回数カウンタエリアの値が初期値よりも大きくなることがないことにより、パチンコ機１０の初期設定よりも、特別演出が実行された場合の大当たり結果に対応している期待度が低くなることがない。これにより、パチンコ機１０の初期設定を行う上で、初期値を基準として、特別演出が実行された場合の大当たり結果に対応している期待度を初期設定すればよく、大当たり結果に対応した期待度が極端に低くなることを加味して上記初期設定を行う必要がなくなる。
【０２３４】
＜第２の実施の形態＞
本実施の形態では、操作実行回数カウンタエリアを初期化するタイミングが、上記第１の実施の形態とは異なっている。
【０２３５】
本実施の形態における変動中用処理について図１８のフローチャートを参照して説明する。
【０２３６】
本変動中用処理におけるステップＳ１１０１〜ステップＳ１１１２の処理は、上記第１の実施の形態におけるステップＳ８０１〜ステップＳ８１２と同様のため説明を省略する。
【０２３７】
ステップＳ１１１２に加算済みフラグを格納したらステップＳ１１１３に進む。ステップＳ１１１３では、連続操作カウンタ加算処理を実行する。連続操作カウンタ加算処理では、音声ランプ制御装置８２のＲＡＭ２５１に設けられた連続操作カウンタエリアの値を１インクリメントする。連続操作カウンタエリアは、特別演出が実行される遊技回において操作スイッチ１００が操作された場合に加算されるものであり、特別演出が実行される遊技回において操作スイッチ１００が操作されなかった場合にクリアされるものである。連続操作カウンタエリアの値は、特別演出が実行される遊技回が複数回発生した場合に、それら複数の遊技回において、操作スイッチ１００が操作されることなく終了した遊技回が発生することなく、特別演出が実行された場合に操作スイッチ１００が操作された遊技回が連続して発生した回数を把握するためのものである。
【０２３８】
続くステップＳ１１１４では、音声ランプ制御装置８２のＲＡＭ２５１に設けられた連続非操作カウンタエリアの値をクリアする。連続非操作カウンタエリアは、特別演出が実行される遊技回において操作スイッチ１００が操作された場合にクリアされるものであり、特別演出が実行される遊技回において操作スイッチ１００が操作されなかった場合に加算されるものである。連続非操作カウンタエリアの値は、特別演出が実行される遊技回が複数回発生した場合に、それら複数の遊技回において、操作スイッチ１００が操作された遊技回が発生することなく、特別演出が実行された場合に操作スイッチ１００が操作されることなく終了した遊技回が連続して発生した回数を把握するためのものである。
【０２３９】
ステップＳ１１１４の処理を実行したらステップＳ１１１５〜ステップＳ１１１７の処理を実行して本変動中用処理を終了する。ステップＳ１１１５〜ステップＳ１１１７の処理は、上記第１の実施の形態における変動中用処理のステップＳ８１３〜ステップＳ８１５と同様のため、説明を省略する。
【０２４０】
ステップＳ１１０７にて操作演出の終了タイミングである場合、ステップＳ１１１８〜ステップＳ１１２０の処理を実行する。ステップＳ１１１８〜ステップＳ１１２０の処理は、上記第１の実施の形態における変動中用処理のステップＳ８１６〜ステップＳ８１８１と同様のため、説明を省略する。
【０２４１】
ステップＳ１１２０にて加算済みフラグが格納されていない場合、ステップＳ１１２１に進む。加算済みフラグが格納されていない場合、今回の遊技回にて操作スイッチ１００が操作されなかったことを意味している。ステップＳ１１２１では、連続非操作カウンタ加算処理を実行する。連続非操作カウンタ加算処理では、連続非操作カウンタエリアの値を１インクリメントする。続くステップＳ１１２２では、連続操作カウンタエリアをクリアする。
【０２４２】
連続操作カウンタエリアをクリアしたらステップＳ１１２３〜ステップＳ１１２６の処理を実行して本変動中用処理を終了する。ステップＳ１１２３〜ステップＳ１１２６の処理は、上記第１の実施の形態におけるステップＳ８１９〜ステップＳ８２２と同様のため、説明を省略する。
【０２４３】
次に本実施の形態における操作頻度初期化処理について図１９のフローチャートを参照して説明する。
【０２４４】
先ず、ステップＳ１２０１では、連続操作カウンタエリアの値が「３」であるか否かを判定する。連続操作カウンタエリアの値が「３」でない場合、ステップＳ１２０２に進む。ステップＳ１２０２では、連続非操作カウンタエリアの値が「３」であるか否かを判定する。連続非操作カウンタエリアの値が「３」でない場合、ステップＳ１２０３〜ステップＳ１２０８の処理を実行して本操作頻度初期化処理を終了する。ステップＳ１２０３〜ステップＳ１２０８の処理は、上記第１の実施の形態にて説明した操作頻度初期化処理におけるステップＳ１００１〜ステップＳ１００６と同様のため説明を省略する。
【０２４５】
ステップＳ１２０２にて、連続非操作カウンタエリアの値が「３」である場合、ステップＳ１２０９に進む。ステップＳ１２０９では、操作実行回数カウンタエリアに最小値である「１」を設定する。これにより、ステップＳ１２０９の処理が実行された場合、それまでの操作頻度に関わらず、特別演出が実行される頻度が低くなるように操作実行回数カウンタエリアの値が切り換えられる。この結果、連続非操作カウンタエリアの値が「３」となることによって、特別演出が実行される頻度が最も低くなる。ステップＳ１２０９の処理を実行したら本操作頻度初期化処理を終了する。
【０２４６】
ここで、連続非操作カウンタエリアの値が「３」である場合とは、特別演出が実行される遊技回が３回発生した場合に、その３回の遊技回のいずれにおいても操作スイッチ１００が操作されなかったことを意味している。すなわち、特別演出が実行される遊技回において、３遊技回連続して操作スイッチ１００が操作されなかったことを意味している。この場合、操作スイッチ１００が操作された場合に実行される演出の把握を遊技者が望んでいないものと考えられる。このため、連続非操作カウンタエリアの値が「３」である場合に、操作実行回数カウンタエリアの値を変更することで、操作スイッチ１００が操作された場合の演出を遊技者が望まなくなった場合や、パチンコ機１０で遊技を行う遊技者が変わった場合に、特別演出が実行される遊技回となる頻度を変更できる。
【０２４７】
ステップＳ１２０１にて連続操作カウンタエリアの値が「３」である場合、ステップＳ１２１０に進む。ステップＳ１２１０では、操作実行回数カウンタエリアを初期化する。具体的には、操作実行回数カウンタエリアの初期値として、操作実行回数カウンタエリアの最大値である「１０」が設定されている。これにより、ステップＳ１２１０の処理が実行された場合、操作実行回数カウンタエリアに「１０」が格納される。
【０２４８】
ステップＳ１２０９の処理が実行された場合、それまでの操作頻度に関わらず、特別演出が実行される頻度が高くなるように操作実行回数カウンタエリアの値が切り換えられる。この結果、連続操作カウンタエリアの値が「３」となることによって、特別演出が実行される頻度が最も高くなる。ステップＳ１２０９の処理を実行したら本操作頻度初期化処理を終了する。
【０２４９】
ここで、連続操作カウンタエリアの値が「３」である場合とは、特別演出が実行される遊技回が３回発生した場合に、その３回の遊技回のいずれにおいても操作スイッチ１００が操作されたことを意味している。すなわち、特別演出が実行される遊技回において、３遊技回連続して操作スイッチ１００が操作されたことを意味している。この場合、操作スイッチ１００が操作された場合に実行される演出の把握を遊技者が望んでいるものと考えられる。このため、連続操作カウンタエリアの値が「３」である場合に、操作実行回数カウンタエリアの値を変更することで、操作スイッチ１００が操作された場合の演出を遊技者が望んでいる場合や、パチンコ機１０で遊技を行う遊技者が変わった場合に、特別演出が実行される遊技回となる頻度を変更できる。
【０２５０】
以上のように、本実施の形態では、特別演出が実行される遊技回において、操作スイッチ１００が操作された遊技回、又は操作スイッチ１００が操作されなかった遊技回が連続して発生した場合に、操作頻度を変更するようになっている。上記第１の実施の形態では、所定期間において遊技球の発射操作が行われなかった場合に操作頻度を初期化する構成とした。ここで、パチンコ機１０で遊技を行う遊技者が遊技を終了した後に、上記所定期間が経過することなく、次の遊技者が遊技を開始した場合、上記第１の実施の形態では、操作頻度の初期化が実行されないことが考えられる。この点、本実施の形態では、特別演出が実行される遊技回における３遊技回の操作スイッチ１００の履歴によって、操作頻度を切り換える構成とした。これにより、所定期間が経過しなくとも、操作スイッチ１００の操作頻度を変更することが可能となる。この結果、遊技者が替わったことが想定される場合に、操作頻度を早いタイミングで変更することが可能となる。
【０２５１】
＜第３の実施の形態＞
本実施の形態では、上記各実施の形態とは、操作スイッチ１００の操作に応じて実行される演出が異なっている。
【０２５２】
本実施の形態では、いずれの演出を実行させるかを遊技者が選択できる選択演出が設定されている。具体的には、選択演出が実行された場合、操作スイッチ１００の操作によって第１選択演出と第２選択演出のいずれを実行させるかを遊技者が選択できるようになっている。第１選択演出と第２選択演出とは遊技者が区別可能に設定されており、第１選択演出では第１特別キャラクタ（例えば、女の子）が図柄を揃えようとする演出が実行されるようになっており、第２選択演出では第１特別キャラクタとは異なる第２特別キャラクタ（例えば、男の子）が図柄を揃えようとする演出が実行されるようになっている。各選択演出は、大当たり結果に対応した遊技回及び大当たり結果に対応していない遊技回のいずれにおいても実行されるようになっており、大当たり結果に対応した遊技回では同一の図柄が各キャラクタによって揃えられるようになっており、外れ結果に対応した遊技回では同一の図柄が各キャラクタによって揃えられないようになっている。
【０２５３】
＜変動開始用処理＞
本実施の形態における変動開始用処理について図２０のフローチャートを参照して説明する。
【０２５４】
変動開始用処理では、先ずステップＳ１３０１及びステップＳ１３０２の処理を実行する。ステップＳ１３０１及びステップＳ１３０２の処理は、上記第１の実施の形態における変動開始用処理のステップＳ６０１及びステップＳ６０２と同様のため、説明を省略する。
【０２５５】
ステップＳ１３０２にて今回の遊技回が大当たり当選に対応している場合、ステップＳ１３０３に進む。ステップＳ１３０３では、選択演出抽選処理を実行する。本選択演出抽選処理は、上記第１の実施の形態における変動開始用処理の特別演出抽選実行処理（ステップＳ６０３）と同様のため、説明を省略する。
【０２５６】
続くステップＳ１３０４では、選択演出抽選に当選していたか否かを判定する。選択演出抽選に当選している場合、ステップＳ１３０５に進む。ステップＳ１３０５では、大当たりに対応した停止図柄設定処理を実行する。続くステップＳ１３０６では、選択演出に対応した変動表示態様設定処理を実行する。選択演出に対応した変動表示態様設定処理では、ステップＳ１３０５にて設定した停止図柄が停止表示されるまでに選択演出が実行されるように変動表示態様を設定する。その後、ステップＳ１３０７にて、決定した停止図柄の情報及び変動表示態様の情報を含むコマンドを表示制御装置２１２に出力する。これにより、表示制御装置２１２は、今回の遊技回にて選択演出を実行するよう図柄表示装置４１を制御する。ステップＳ１３０７の処理を実行したら本変動開始用処理を終了する。
【０２５７】
ステップＳ１３０４にて選択演出抽選に当選していないと判定した場合、ステップＳ１３０８にて大当たりに対応した停止図柄設定処理を実行するとともに、ステップＳ１３０９にて通常演出に対応した変動表示態様設定処理を実行する。その後、ステップＳ１３０７にて設定した情報に対応したコマンドを表示制御装置２１２に出力して本変動開始用処理を終了する。
【０２５８】
ステップＳ１３０２にて大当たり当選に対応していないと判定した場合、ステップＳ１３１０に進む。ステップＳ１３１０では、外れに対応した変動態様設定処理を実行する。外れに対応した変動態様設定処理を実行したら、本変動開始用処理を終了する。
【０２５９】
＜外れに対応した変動態様設定処理＞
本実施の形態における外れに対応した変動態様設定処理について図２１のフローチャートを参照して説明する。
【０２６０】
ステップＳ１４０１では、今回の遊技回おける変動表示がリーチ発生に対応しているか否かを判定する。リーチ発生に対応している場合、ステップＳ１４０２に進む。ステップＳ１４０２では、選択演出抽選処理を実行する。本選択演出抽選処理は、変動開始用処理における選択演出抽選処理（ステップＳ１３０３）と同様となっている。なお、本選択演出抽選処理を、ステップＳ１３０３の選択演出抽選処理よりも選択演出抽選に当選する期待度が低いものとしてもよい。
【０２６１】
続くステップＳ１４０３では、ステップＳ１４０２の選択演出抽選に当選していたか否かを判定する。選択演出抽選に当選している場合、ステップＳ１４０４に進む。ステップＳ１４０４では、外れリーチに対応した停止図柄設定処理を実行する。続くステップＳ１４０５では、選択演出に対応した変動表示態様設定処理を実行する。本変動表示態様設定処理では、ステップＳ１４０４にて設定した停止図柄が停止表示されるまでに選択演出が実行されるように変動表示態様が設定される。
【０２６２】
続くステップＳ１４０６では、設定した停止図柄の情報及び設定した変動表示態様の情報を含むコマンドを表示制御装置２１２に出力する。ステップＳ１４０６の処理を実行したら本外れに対応した変動態様設定処理を終了する。
【０２６３】
ステップＳ１４０３にて選択演出抽選に当選していないと判定した場合、ステップＳ１４０７に進む。ステップＳ１４０７では、外れリーチに対応した変動態様設定処理を実行する。本外れリーチに対応した変動態様設定処理では、選択演出が実行されない場合の変動態様を設定する。本外れリーチに対応した変動態様設定処理については後述する。その後、ステップＳ１４０６にて、外れリーチに対応した変動態様設定処理にて設定した停止図柄の情報及び変動表示態様の情報を含むコマンドを表示制御装置２１２に出力して本外れに対応した変動態様設定処理を終了する。
【０２６４】
ステップＳ１４０１にてリーチ発生に対応した変動表示でないと判定した場合、ステップＳ１４０８以降の処理を実行して本外れに対応した変動態様設定処理を終了する。ステップＳ１４０８以降の処理は、上記第１の実施の形態における外れに対応した変動態様設定処理のステップＳ７０９以降の処理と同様のため、説明を省略する。
【０２６５】
＜変動中用処理＞
本実施の形態における変動中用処理について図２２のフローチャートを参照して説明する。
【０２６６】
先ず、ステップＳ１５０１では、今回の遊技回における変動表示が選択演出の実行に対応しているか否かを判定する。具体的には、変動開始用処理が実行された場合、決定された停止図柄の情報及び変動表示態様の情報は、音声ランプ制御装置８２のレジスタに記憶されている。ステップＳ１５０１では、変動表示開始用処理にて選択演出に対応した変動表示態様の情報がレジスタに記憶されているか否かを判定する。特別演出に対応した変動表示態様の情報がレジスタに記憶されていない場合、本変動中用処理を終了する。
【０２６７】
ステップＳ１５０１にて、今回の遊技回における変動表示が選択演出の実行に対応していると判定した場合、ステップＳ１５０２に進む。ステップＳ１５０２では、操作開始フラグ格納エリアに操作開始フラグが格納されているか否かを判定する。上述したように、選択演出が実行される遊技回では、第１選択演出及び第２選択演出のうち、いずれの選択演出を実行させるかを遊技者が選択できるようになっている。また、選択演出が実行される遊技回では、実行させる選択演出を選択するための操作スイッチ１００の操作が有効な期間が設定されている。そして、操作スイッチ１００の操作が有効な期間においては、操作スイッチ１００の操作によって実行させる演出の選択を促す選択演出が実行される。操作開始フラグは、選択演出が実行される遊技回において、操作スイッチ１００の操作が有効となっている場合に格納されるフラグであり、選択演出が実行されている場合に格納されるフラグである。
【０２６８】
ステップＳ１５０２にて操作開始フラグが格納されていない場合、ステップＳ１５０３に進む。ステップＳ１５０３では、選択演出の開始タイミングであるか否かを判定する。具体的には、今回の遊技回の変動表示時間と、選択演出に対応した変動表示態様設定処理にて決定した変動表示態様との組合せに対応付けて選択演出の開始タイミングが予め設定されている。ステップＳ１５０３では、その予め設定された選択演出の開始タイミングであるか否かを判定する。ちなみに、音声ランプ制御装置８２のＲＡＭ２５１には、遊技回が開始されてから経過した期間を測定するための経過カウンタエリアが設けられている。経過カウンタエリアの値は所定周期にて更新されるようになっており、経過カウンタエリアの値から遊技回が開始されてから経過した期間を把握できるようになっている。この経過カウンタエリアの値から選択演出の開始タイミングであるか否かを判定する。選択演出の開始タイミングでない場合、本変動中用処理を終了する。
【０２６９】
ステップＳ１５０３にて選択演出の開始タイミングであると判定した場合、ステップＳ１５０４に進む。ステップＳ１５０４では、選択演出開始コマンドを設定する。選択演出開始コマンドは、後述するステップＳ１５０６にて表示制御装置２１２に出力される。表示制御装置２１２は、選択演出開始コマンドを受信することにより、選択演出を開始するよう図柄表示装置４１を制御する。具体的には、選択演出が開始された場合、操作スイッチ１００を操作するよう遊技者に促すメッセージ（具体的には、「ＰＵＳＨ」）が図柄表示装置４１に表示される。
【０２７０】
続くステップＳ１５０５では、操作開始フラグ格納エリアに操作開始フラグを格納する。その後、ステップＳ１５０６にて選択演出開始コマンドを表示制御装置２１２に出力して本変動中用処理を終了する。
【０２７１】
ステップＳ１５０２にて操作開始フラグが格納されている場合、ステップＳ１５０７に進む。ステップＳ１５０７では、選択演出の終了タイミングであるか否かを判定する。選択演出の終了タイミングは、選択演出の開始タイミングと同様に予め設定されているものであり、経過カウンタエリアの値から選択演出の終了タイミングであるか否かを判定する。
【０２７２】
ステップＳ１５０７にて操作演出の終了タイミングではない場合、ステップＳ１５０８に進む。ステップＳ１５０８では、操作スイッチ１００が操作されたか否かを判定する。操作スイッチ１００が操作されていない場合、本変動中用処理を終了する。
【０２７３】
ステップＳ１５０８にて操作スイッチ１００が操作されていると判定した場合、ステップＳ１５０９に進む。ステップＳ１５０９では、操作コマンドを設定する。操作コマンドには、操作スイッチ１００が操作されたことに対応した情報が含まれている。操作コマンドは、後述するステップＳ１５１３にて表示制御装置２１２に出力される。表示制御装置２１２は、操作コマンドを受信した場合、操作スイッチ１００が操作された場合に対応した選択演出を切り換えるよう図柄表示装置４１を制御する。ステップＳ１５１３の処理を実行したら本変動中用処理を終了する。
【０２７４】
ここで、選択演出が実行される場合の図柄表示装置４１の表示態様について説明を補足する。選択演出が実行される遊技回において、操作スイッチ１００の操作に応じて第１選択演出及び第２選択演出が選択される状況においては、図柄表示装置４１に第１選択演出及び第２選択演出のうち、いずれの選択演出の実行に対応しているかが表示される。操作スイッチ１００が操作された場合、図柄表示装置４１に表示されている実行に対応した選択演出が切り換わる。そして、操作演出が終了した後に、実行に対応した選択演出が図柄表示装置４１にて実行されるようになっている。つまり、操作演出が開始されてから、その操作演出が終了されるまでの期間が、いずれの選択演出を実行させるかを遊技者が選択可能な期間となっている。なお、第１演出対応フラグが格納されている場合、第１選択演出の実行に対応した表示が図柄表示装置４１にて実行されるようになっている。また、第１演出対応フラグが格納されていない場合、第２選択演出の実行に対応した表示が図柄表示装置４１にて実行されるようになっている。
【０２７５】
ステップＳ１５０７にて操作演出の終了タイミングであると判定した場合、ステップＳ１５１４に進む。ステップＳ１５１４では、操作開始フラグを消去する。続くステップＳ１５１５では、第１演出対応フラグが格納されているか否かを判定する。
【０２７６】
第１演出対応フラグが格納されている場合、ステップＳ１５１６に進む。ステップＳ１５１６では、選択回数カウンタ加算処理を実行する。選択回数カウンタ加算処理では、ＲＡＭ２５１の各種カウンタエリアに設けられた選択回数カウンタエリアの値を１インクリメントする。選択回数カウンタエリアは、選択演出が実行された場合に、第１選択演出及び第２選択演出のうち、いずれのものが選択されたかの頻度を把握するためのものである。選択回数カウンタエリアの最大値は「９０」となっており、選択回数カウンタエリアの値が「９０」である場合には、選択回数カウンタ加算処理が実行されたとしても、その状態が維持される。続くステップＳ１５１７では、第１選択演出の実行に対応した第１演出開始コマンドを設定する。なお、選択回数カウンタエリアの初期値として「４９」が設定されている。
【０２７７】
一方、ステップＳ１５１５にて第１演出対応フラグが格納されていない場合、ステップＳ１５１８に進む。ステップＳ１５１８では、選択回数カウンタ減算処理を実行する。選択回数カウンタ減算処理では、選択回数カウンタエリアの値を１ディクリメントする。選択回数カウンタエリアの最小値は「１０」となっており、選択回数カウンタエリアの値が「１０」である場合には、選択回数カウンタ減算処理が実行されたとしても、その状態が維持される。続くステップＳ１５１９では、第２選択演出の実行に対応した第２演出開始コマンドを設定する。
【０２７８】
ステップＳ１５１７、又はステップＳ１５１９の処理を実行したらステップＳ１５２０に進む。ステップＳ１５２０では、コマンド出力処理を実行する。本コマンド出力処理では、ステップＳ１５１７、又はステップＳ１５１９にて設定した演出開始コマンドを表示制御装置２１２に出力する。このコマンド出力処理を実行したら本変動中用処理を終了する。
【０２７９】
表示制御装置２１２は、第１演出開始コマンドを受信した場合、第１選択演出を実行するよう図柄表示装置４１を制御する。また、表示制御装置２１２は、第２演出開始コマンドを受信した場合、第２選択演出を実行するよう図柄表示装置４１を制御する。
【０２８０】
具体的には、操作演出が開始されてから操作演出が終了させるまでの期間においては、第１選択演出及び第２選択演出のうち、いずれかの選択演出の実行に対応した表示が図柄表示装置４１にて実行される。そして、操作演出が終了した場合には、その操作演出の終了タイミングにて実行に対応していた選択演出が図柄表示装置４１にて実行される。
【０２８１】
＜外れリーチに対応した変動態様設定処理＞
変動開始用処理（図２０）のステップＳ１３１０にて実行される外れリーチ変動態様設定処理について図２３のフローチャートを参照して説明する。本実施の形態では、選択演出が実行されない場合に、第１選択演出や第２選択演出が実行される。つまり、第１選択演出及び第２選択演出のうち、いずれの選択演出を実行させるかを遊技者が選択できない状況において、第１選択演出と第２選択演出とのそれぞれが実行される。
【０２８２】
先ず、ステップＳ１６０１では、演出設定用カウンタ取得処理を実行する。演出設定用カウンタ取得処理では、ＲＡＭ２５１の各種カウンタエリア２５７に設けられた演出設定用カウンタエリアから値を取得する。演出設定用カウンタエリアは、「０〜９９」のループカウンタとなっており、所定周期にて演出設定用カウンタエリアの値が更新されるようになっている。続くステップＳ１６０２では、選択回数把握処理を実行する。選択回数把握処理では、選択回数カウンタエリアの値を把握する。なお、ステップＳ１６０１にて取得した演出設定用カウンタエリアの値と、ステップＳ１６０２にて把握した選択回数カウンタエリアの値とは、ＭＰＵ２４９のレジスタにそれぞれ記憶される。
【０２８３】
その後、ステップＳ１６０３では、ステップＳ１６０１にて取得した演出設定用カウンタエリアの値と、ステップＳ１６０２にて把握した選択回数カウンタエリアの値と、を比較する。ここで、演出設定用カウンタエリアの値が、選択回数カウンタエリアの値未満である場合が、第１選択演出の実行に対応している。また、演出設定用カウンタエリアの値が、選択回数カウンタエリアの値以上である場合が、第２選択演出の実行に対応している。
【０２８４】
その後、ステップＳ１６０４では、ステップＳ１６０３の比較処理の結果が第１選択演出の実行に対応していたか否かを判定する。第１選択演出の実行に対応している場合、ステップＳ１６０５に進む。ステップＳ１６０５では、外れリーチに対応した停止図柄設定処理を実行する。続くステップＳ１６０６では、第１選択演出に対応した変動表示態様設定処理を実行する。第１選択演出に対応した変動表示態様設定処理では、今回の遊技回が開始されてから終了されるまでに第１選択演出が実行されるように図柄の変動表示態様を決定する。ステップＳ１６０６の処理を実行したら本外れリーチに対応した変動態様設定処理を終了する。
【０２８５】
ステップＳ１６０４にて第１選択演出の実行に対応していないと判定した場合、すなわち、第２選択演出の実行に対応している場合、ステップＳ１６０７に進む。ステップＳ１６０７では、外れリーチに対応した停止図柄設定処理を実行する。続くステップＳ１６０８では、第２選択演出に対応した変動表示態様設定処理を実行する。第２選択演出に対応した変動表示態様設定処理では、今回の遊技回が開始されてから終了されるまでに第２選択演出が実行されるように図柄の変動表示態様を決定する。ステップＳ１６０８の処理を実行したら本外れリーチに対応した変動態様設定処理を終了する。
【０２８６】
ステップ１６０５〜ステップＳ１６０８にて決定された停止図柄の情報及び変動表示態様の情報を含むコマンドが変動開始用処理（図２０）におけるステップＳ１３０７にて表示制御装置２１２に出力される。表示制御装置２１２は、受信したコマンドに第１選択演出の実行に対応した情報が含まれている場合には第１選択演出を実行するように、受信したコマンドに第２選択演出の実行に対応した情報が含まれている場合には第２選択演出を実行するように、図柄表示装置４１を制御する。
【０２８７】
本実施の形態では、外れリーチに対応した変動態様設定処理にて第１選択演出及び第２選択演出を、選択回数カウンタエリアの値を参照して決定する構成とした。選択回数カウンタエリアの値は、選択演出が実行される遊技回において、第１選択演出が選択された場合には加算され、第２選択演出が実行された場合には減算される。また、選択回数カウンタエリアの値が大きい程、ステップＳ１６０３の比較処理が実行される場合に、第１選択演出に対応した範囲が広くなる。また、選択回数カウンタエリアの値が小さい程、ステップＳ１６０３の比較処理が実行される場合に第２選択演出に対応した範囲が広くなる。
【０２８８】
本構成であることにより、選択演出が実行される遊技回にて遊技者に選択された選択演出が、外れリーチに対応した変動態様設定処理にて設定され易くすることが可能となる。選択演出が実行される遊技回にて、第１選択演出及び第２選択演出のうちいずれの選択演出を実行させるかを遊技者が選択する場合、その遊技者が把握したいと考える選択演出が選択されるものと考えられる。本実施の形態では、第１選択演出及び第２選択演出のうち遊技者に選択された選択演出を、その後の遊技回において実行頻度を高めることが可能となる。これにより、遊技者が把握したいと考える演出の実行頻度を高めることが可能となる。遊技者が把握したいと考える演出の実行頻度が高まることにより、遊技者が遊技に注目することが考えられる。この結果、遊技者の遊技への注目度を高めることができる。本実施の形態では、実行させる演出を遊技者が選択できない遊技回において、遊技者が望む演出の実行頻度を高めることにより、遊技者の遊技への注目度を高めることが可能となる。
【０２８９】
＜他の実施の形態＞
なお、上述した実施の形態の記載内容に限定されず、本発明の趣旨を逸脱しない範囲内で種々の変形改良が可能である。例えば以下のように変更してもよい。ちなみに、以下の別形態の構成を、上記各実施の形態の構成に対して、個別に適用してもよく、組み合わせて適用してもよい。
【０２９０】
（１）第１の実施の形態において、リーチの実行とならない遊技回において特別演出が実行されるようにしてもよい。本構成において、例えば、特別演出の出現率が操作実行回数カウンタエリアの値が初期値である「１０」である場合には、特別演出の実行頻度が５０％となっており、特別演出が実行された場合の大当たり結果に対応している信頼度が１０％となるように設定されていてもよい。この場合、操作実行回数カウンタエリアの値が変動した場合には、（１／２）×（操作実行回数カウンタエリアの値／１０）の頻度にて特別演出が実行されることとなる。
【０２９１】
（２）第１の実施の形態において、操作実行回数カウンタエリアの値に応じて、特別演出を実行するか否か抽選処理が実行されるようにしてもよい。例えば、操作実行回数カウンタエリアの値が、「０〜３」の場合には第１抽選処理が、「４〜６」の場合には第２抽選処理が、「７〜１０」の場合には第３抽選処理が実行されるようにしてもよい。そして、実行される抽選処理に応じて特別演出が実行される頻度が異なるようにしてもよい。
【０２９２】
（３）操作実行回数カウンタエリアの値には、上限値と下限値とをそれぞれ変更してもよい。例えば、操作実行回数カウンタエリアの下限値を「３」とし、操作実行回数カウンタエリアの上限値を「３０」としてもよい。上限値が、操作実行回数カウンタエリアの初期値よりも大きい場合、操作スイッチ１００の操作頻度に応じて、初期設定されている頻度よりも高い頻度にて特別演出が実行される。
【０２９３】
（４）第３の実施の形態において、設定されている選択演出の数を変更してもよく、例えば、設定されている選択演出の数が３種類以上であってもよい。この場合、選択演出の数に応じて、取得した場合の操作実行回数カウンタエリアの値に応じて各選択演出に対応した範囲を設定するようにすればよい。
【０２９４】
（５）操作実行回数カウンタエリアのそれぞれを初期化するタイミングを変更してもよい。例えば、遊技回が実行されることなく所定期間が経過した場合に各実行回数カウンタエリアの値が初期化されるようにしてもよい。
【０２９５】
また、例えば、大当たり結果となった場合に上記初期化が実行されるようにしてもよいし、各実行回数カウンタエリアの値を初期化するタイミングを遊技者が決定できるようにしてもよい。
【０２９６】
また、遊技者に遊技が実行されることなく所定期間が経過した場合に、図柄表示装置４１にてデモ演出が実行される構成においては、デモ演出が実行された場合に、上記初期化が実行されるようにしてもよい。
【０２９７】
また、パチンコ機１０の電源が遮断された場合に上記初期化が実行されるようにしてもよい。
【０２９８】
また、上記初期化を行うか否かを遊技者が選択できるようにしてもよい。この場合、操作スイッチ１００の操作によって上記初期化を行わせることを遊技者が選択できるようにしておくとよい。
【０２９９】
（６）第１の実施の形態において、操作スイッチ１００が操作された頻度を、特別演出が実行された遊技回にて把握するものとしたが、かかる構成に限定されない。例えば、特別演出が実行される遊技回とは異なる場合に操作スイッチ１００が操作された頻度を把握するようにしてもよい。本構成において、特別演出が実行されていない状況において操作スイッチ１００が操作された場合に、操作実行回数カウンタエリアの値が更新される。
【０３００】
遊技者によっては、操作スイッチ１００の操作に応じて実行される演出が異なるか否かに関わらず、操作スイッチ１００を操作する。このような遊技者は、操作スイッチ１００の操作を望んで遊技を行っていることが考えられる。本構成によれば、特別演出とは異なる場合においても操作スイッチ１００を操作する遊技者に対して、特別演出が実行される頻度を高めることが可能となる。つまり、本構成においては、特別演出が実行されなくとも、特別演出が実行される頻度を高めることができる。この結果、遊技者が特別演出の実行を望む場合に、特別演出の実行頻度を高めるタイミングを早くすることができる。
【０３０１】
（７）大当たり結果に対応した遊技回において、操作スイッチ１００が操作された場合に操作実行回数カウンタエリアの値を更新し、大当たり結果に対応していない遊技回において操作スイッチ１００が操作された場合に操作実行回数カウンタエリアの値を更新しないようにしてもよい。本構成においては、大当たり結果に対応した遊技回において操作スイッチ１００が操作された頻度に応じて特別演出が実行される頻度が決定される。
【０３０２】
（８）大当たり結果に対応した遊技回において、特別演出が実行されるまでに、大当たり結果に対応した遊技回であることを報知したり、大当たり結果に対応した遊技回である期待度が高いことを報知したりしてもよい。この場合、大当たり結果に対応した遊技回においては操作スイッチ１００を操作したいと考える遊技者に対して操作スイッチ１００の操作を促すことができる。また、このような遊技者においては、特別演出が実行される遊技回が、大当たり結果に対応している期待度が望むことがある。この点、上記各実施の形態では、大当たり結果に対応した遊技回において操作スイッチ１００が操作されたとしても、その後に特別演出が実行される頻度に影響を与えない。本構成によれば、大当たり結果に対応している場合には操作スイッチ１００を操作したいと考えつつ、大当たり結果に対応していない遊技回では操作スイッチ１００を操作したいとは考えない遊技者に対して、大当たり結果に対応した遊技回では操作スイッチ１００を操作させつつ、大当たり結果に対応していない遊技回にて特別演出が実行されることを抑制できる。
【０３０３】
以上のように、特別演出が実行される遊技回において、大当たり結果に対応している期待度を報知することにより、その報知に応じて遊技者が操作スイッチ１００を操作するか否か遊技者に決定させることができる。また、大当たり結果に対応した遊技回において、操作スイッチ１００が操作されたとしても、その操作が特別演出が実行される頻度に影響を与えないことにより、大当たり結果に対応した遊技回において操作スイッチ１００が操作された場合に、特別演出が実行される頻度が遊技者が望むものと異なってしまうことを防止できる。
【０３０４】
（９）大当たり結果に対応した遊技回においては、操作スイッチ１００が操作されたとしても、操作実行回数カウンタエリアの値を更新しないものとしたが、かかる構成に限定されない。大当たり結果に対応した遊技回において操作スイッチ１００が操作された場合に操作実行回数カウンタエリアの値が加算されてもよい。また、大当たり結果に対応した遊技回において操作スイッチ１００が操作されなかった場合に、操作実行回数カウンタエリアの値が減算されるようにしてもよい。
【０３０５】
また、大当たり結果に対応した遊技回においては、操作スイッチ１００の操作頻度に関わらず、特別演出が実行される頻度が一定であるものとしたが、大当たり結果に対応した遊技回において特別演出が実行される頻度が異なるようにしてもよい。この場合、大当たり結果に対応していない遊技回において特別演出が実行される頻度を、操作実行回数カウンタエリアの値に影響を受けないようにしてもよい。
【０３０６】
（１０）上記各実施の形態では、設定されている表示モードに応じて特別演出が実行される頻度が異なるものとしたが、かかる構成に限定されない。
【０３０７】
例えば、表示モードが複数設定されていないものや、表示モードは複数設定されているがいずれの表示モードが設定されているとしても表示モードに応じて特別演出が実行される頻度が変化しないものが考えられる。
【０３０８】
また、設定されている表示モードの数を変更してもよく、１の表示モードのみが設定されているものや、３種類以上の表示モードが設定されているものが考えられる。
【０３０９】
（１１）操作スイッチ１００が操作されるほど、特別演出が実行された場合に大当たり結果に対応している期待度が高くなるようにしてもよい。この場合、操作スイッチ１００が操作された頻度に応じて、大当たり結果に対応した遊技回にて特別演出が実行される頻度を変更してもよいし、大当たり結果に対応していない遊技回にて特別演出が実行される頻度を変更してもよい。さらには、大当たり結果に対応した遊技回、及び大当たり結果に対応していない遊技回の両方について特別演出が実行される頻度を変更してもよい。この場合、操作スイッチ１００が操作されるほど、大当たり結果に対応した遊技回と、大当たり結果に対応していない遊技回とで、大当たり結果に対応した遊技回にて特別演出が実行される割合が高くなっていくようにすればよい。
【０３１０】
また、上記第１，第２の実施の形態のように、操作スイッチ１００が操作されるほど、特別演出が実行された場合に大当たり結果に対応している期待度を低くする構成において、操作スイッチ１００が操作された頻度に応じて、大当たり結果に対応した遊技回にて特別演出が実行される頻度を変更してもよいし、大当たり結果に対応していない遊技回にて特別演出が実行される頻度を変更してもよい。さらには、大当たり結果に対応した遊技回、及び大当たり結果に対応していない遊技回の両方について特別演出が実行される頻度を変更してもよい。この場合、操作スイッチ１００が操作されるほど、大当たり結果に対応した遊技回と、大当たり結果に対応していない遊技回とで、大当たり結果に対応した遊技回にて特別演出が実行される割合が低くなっていくようにすればよい。
【０３１１】
以上のように、操作スイッチ１００が操作された頻度に応じて特別演出が実行された場合に、大当たり結果に対応している期待度を変更してもよい。
【０３１２】
（１２）上記第３の実施の形態では、操作演出の実行に対応した期間が終了した場合に選択されている選択演出が実行されるものとしたが、かかる構成に限定されない。例えば、操作演出が実行される期間内において、第１選択演出に対応した期間と、第２選択演出に対応した期間と、が所定周期にて繰り返されている。この場合、操作スイッチ１００が操作されたタイミングが、第１選択演出及び第２選択演出のいずれに対応しているかで、実行する選択演出を決定するようにしてもよい。本構成によれば、操作期間の経過を待たずして、いずれの選択演出を実行させるかを遊技者が決定できる。
【０３１３】
（１３）第１，第２の実施の形態において、特別演出が実行された場合に操作スイッチ１００が操作された頻度に応じて、特別演出とは異なる所定の演出が実行される頻度が異なるようにしてもよい。
【０３１４】
（１４）上記各実施の形態では、主制御装置８１から出力されるコマンドに基づいて、音声ランプ制御装置８２により表示制御装置２１２が制御される構成としたが、これに代えて、主制御装置８１から出力されるコマンドに基づいて、表示制御装置２１２が音声ランプ制御装置８２を制御する構成としてもよい。また、音声ランプ制御装置８２と表示制御装置２１２とが別々に設けられた構成に代えて、両制御装置８２，２１２が一のサブ側の制御装置として設けられた構成としてもよい。また、音声ランプ制御装置８２又は表示制御装置２１２の機能が主制御装置８１に集約された構成としてもよく、音声ランプ制御装置８２及び表示制御装置２１２の両方の機能が主制御装置８１に集約された構成としてもよい。
【０３１５】
（１５）操作スイッチ１００が操作された頻度を音声ランプ制御装置８２にて把握する構成としたが、かかる構成に限定されない。操作スイッチ１００が操作された頻度を主制御装置８１や、表示制御装置２１２にて把握する構成としてもよい。
【０３１６】
（１６）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０３１７】
（１７）弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０３１８】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０３１９】
＜上記実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０３２０】
特徴１．演出を実行する演出実行手段（図柄表示装置４１）と、
演出を実行するよう前記演出実行手段を制御する演出制御手段（音声ランプ制御装置８２、表示制御装置２１２）と、
遊技者により操作される操作手段（操作スイッチ１００）と、
を備え、
前記演出制御手段は、
前記操作手段が操作されたか否かに応じて態様が異なるものとなる特別演出（第１，第２の実施の形態における特別演出、第３の実施の形態における選択演出）を含む演出群から前記演出実行手段にて実行させる演出を、所定の抽選条件が成立したことに基づき抽選により決定する演出抽選手段（第１，第２の実施の形態における音声ランプ制御装置８２のＭＰＵ２４９による特別演出実行抽選処理、外れに対応した特別演出抽選処理を実行する機能、第３の実施お形態における音声ランプ制御装置８２のＭＰＵ２４９による選択演出抽選処理を実行する機能）と、
当該演出抽選手段により選択された演出を前記演出実行手段に実行させるとともに、前記特別演出が選択された場合には前記操作手段の操作に応じた態様の実行も含めて当該特別演出を前記演出実行手段にて実行させる実行制御手段（音声ランプ制御装置８２のＭＰＵ２４９による変動中用処理を実行する機能）と、
前記操作手段が操作された操作頻度に対応した頻度情報を把握する把握手段（音声ランプ制御装置８２のＭＰＵ２４９による操作実行回数加算処理、操作実行回数減算処理を実行する機能）と、
前記特別演出及び前記操作手段の操作に応じて異なるものとなる態様に対応した演出の少なくとも一方である変動対象演出（第１，第２の実施の形態における特別演出、第３の実施の形態における第１選択演出，第２選択演出）の選択率を、前記頻度情報に応じて変動させる変動手段（第１，第２の実施の形態における音声ランプ制御装置８２のＭＰＵ２４９による外れに対応した特別演出抽選処理におけるステップＳ９０２、第３の実施の形態における外れリーチに対応した変動態様設定処理におけるステップＳ１６０２の処理を実行する機能）と、
を備えていることを特徴とする遊技機。
【０３２１】
特徴１によれば、頻度情報に応じて変動対象演出の選択率が変動する。ここで、操作手段を操作するか否かは遊技者に依存し、操作手段を頻繁に操作する遊技者もいれば、操作手段をあまり操作しない遊技者もいることが考えられる。この場合、変動対象演出を画一的に行ったとしても、後者の遊技者の遊技への注目度を高めづらいことが考えられる。この点、本特徴によれば、操作手段が操作された頻度に応じて変動対象演出が実行される頻度を変動させることができる。これにより、遊技者が操作手段を操作する頻度に応じた演出を実行することが可能となり、多様な遊技者に対応した遊技機を提供することができる。
【０３２２】
以上より、本特徴によれば、操作手段の操作頻度に応じて演出を実行することができる。これにより、実行される演出の頻度が単調化することを抑制できる。この結果、実行される演出に遊技者が注目し、遊技者の遊技への注目度を高めることができる。
【０３２３】
特徴２．演出を実行する演出実行手段（図柄表示装置４１）と、
演出を実行するよう前記演出実行手段を制御する演出制御手段（音声ランプ制御装置８２、表示制御装置２１２）と、
遊技者により操作される操作手段（操作スイッチ１００）と、
を備え、
前記演出制御手段は、
前記操作手段が操作されたか否かに応じて態様が異なるものとなる特別演出（第１，第２の実施の形態における特別演出、第３の実施の形態における選択演出）を含む演出群から前記演出実行手段にて実行させる演出を、所定の抽選条件が成立したことに基づき抽選により決定する演出抽選手段（第１，第２の実施の形態における音声ランプ制御装置８２のＭＰＵ２４９による特別演出実行抽選処理、外れに対応した特別演出抽選処理を実行する機能、第３の実施お形態における音声ランプ制御装置８２のＭＰＵ２４９による選択演出抽選処理を実行する機能）と、
当該演出抽選手段により選択された演出を前記演出実行手段に実行させるとともに、前記特別演出が選択された場合には前記操作手段の操作に応じた態様の実行も含めて当該特別演出を前記演出実行手段にて実行させる実行制御手段（音声ランプ制御装置８２のＭＰＵ２４９による変動中用処理を実行する機能）と、
前記特別演出中であって少なくとも前記操作手段の操作が演出の実行態様に影響を与える期間において前記操作手段が操作された操作頻度に対応した頻度情報を把握する把握手段（音声ランプ制御装置８２のＭＰＵ２４９による操作実行回数加算処理、操作実行回数減算処理を実行する機能）と、
前記演出抽選手段における変動対象演出（第１，第２の実施の形態における特別演出、第３の実施の形態における第１選択演出，第２選択演出）の選択率を、前記頻度情報に応じて変動させる変動手段（第１，第２の実施の形態における音声ランプ制御装置８２のＭＰＵ２４９による外れに対応した特別演出抽選処理におけるステップＳ９０２、第３の実施の形態における外れリーチに対応した変動態様設定処理におけるステップＳ１６０２の処理を実行する機能）と、
を備えていることを特徴とする遊技機。
【０３２４】
特徴２によれば、特別演出が実行された場合に操作手段が操作された頻度が把握される。その操作手段が操作された頻度に応じて変動対象演出が実行される頻度が変動される。特別演出が実行された場合、操作手段が操作された場合の演出を視認しようと、操作手段が遊技者に操作される頻度が高くなり易い。また、特別演出が実行された場合に操作手段を操作しない遊技者は、操作手段を操作した場合に実行される演出に対してさほど興味がない遊技者であり、操作手段をあまり操作しない遊技者であると考えられる。本特徴によれば、特別演出が実行された場合の操作手段の操作頻度を把握することで、操作手段の操作を望む遊技者と、望まない遊技者とを区分けすることが可能となる。この結果、前者の遊技者と後者の遊技者とに応じて変動対象演出を実行する頻度を変動できる。
【０３２５】
以上より、多種の遊技者に対応した遊技機を提供することが可能となる。これにより、実行される演出に対する遊技者の注目度が低下することを抑制できる。したがって、遊技者の遊技への注目度を高めた状態を維持することが可能となり、遊技者の遊技への注目度を高めることが可能となる。
【０３２６】
特徴３．前記変動対象演出は、前記特別演出及び前記操作手段の操作に応じて異なるものとなる態様に対応した演出の少なくとも一方であることを特徴とする特徴２に記載の遊技機。
【０３２７】
特徴３によれば、特別演出及び操作手段の操作に応じて異なるものとなる態様に対応した演出の一方が実行される頻度が頻度情報に応じて異なる。
【０３２８】
これにより、例えば、操作手段を頻繁に操作する遊技者に対しては特別演出が実行される頻度を高くすることが可能となるとともに、操作手段をあまり操作しない遊技者に対して特別演出が実行される頻度を低くすることが可能となる。この結果、多様な遊技者に対応して演出を実行することができる。
【０３２９】
また、操作手段の操作に応じて異なるものとなる態様に対応した演出が実行される頻度を変動させることにより、遊技者が実行させるよう操作手段を操作した内容に対応した演出が実行させる頻度を変化させることができる。これにより、操作手段の操作に応じて実行される演出の頻度を変更することが可能となる。この結果、実行される演出の頻度が画一的となることを抑制できる。したがって、実行される演出の頻度が単調化することを抑制できる。このように、操作手段の操作に応じて異なるものとなる態様に対応した演出が実行される頻度を変動させることで、特別演出が実行されていなくとも遊技者の遊技への注目度をも高めることができる。
【０３３０】
特徴４．前記特別演出が実行された場合、前記演出群にそれぞれ含まれる複数の選択対象演出（第１選択演出、第２選択演出）の中から実行させる演出を前記操作手段の操作によって遊技者が選択できる構成であり、
前記変動対象演出は前記選択対象演出であり、
前記変動手段は、選択頻度が高い前記選択対象演出について、前記演出抽選手段における選択率を前記頻度情報に応じて高くするものであることを特徴とする特徴２又は３に記載の遊技機。
【０３３１】
特徴４によれば、複数の選択対象演出の中から実行される演出が遊技者に選択された場合、選択された演出が実行される頻度がその後に高くなる。実行されることが選択された演出は、遊技者が視認したいものであると考えられる。本特徴によれば、遊技者に選択された演出の実行頻度を高めることにより、遊技者が視認したいと考える演出の実行頻度を高くすることができる。遊技者が視認したいと考える演出が高頻度で実行されることにより、遊技者はその演出が実行されるか否かに注目し、その演出が実行されることに満足感を覚えながら遊技を行う。この結果、遊技者の遊技への注目度を高めることができる。
【０３３２】
特徴５．前記変動対象演出は、前記特別演出であり、
前記変動手段は、前記頻度情報が第１操作頻度よりも操作頻度が低い第２操作頻度に対応している場合、前記第１操作頻度に対応している場合よりも、前記演出抽選手段における前記特別演出の選択率を低くするものであることを特徴とする特徴１乃至４のいずれか１に記載の遊技機。
【０３３３】
特徴５によれば、操作手段の操作頻度が第１操作頻度よりも操作頻度が低い第２操作頻度である場合、第１操作頻度である場合よりも特別演出が実行されにくい。特別演出は操作手段が操作されたか否かに応じて態様が異なっている。そして、操作手段の操作を望む遊技者にとっては、特別演出が実行されることにより、操作手段を操作し遊技への注目度が高まることが考えられる。一方、操作手段の操作を望まない遊技者にとっては、操作手段の操作を望まないにも関わらず特別演出が実行されることにより、煩わしさを感じるおそれがある。
【０３３４】
この点、操作手段の操作頻度が低い場合には、特別演出が実行される頻度が低くなる。また、操作手段の操作頻度が高い場合には、特別演出が実行される頻度が高くなる。この結果、操作手段の操作を望む遊技者に対して特別演出が過度に実行されず、特別演出が実行されないことに対して遊技者が煩わしさを感じることを抑制できる。また、操作手段の操作を望まない遊技者に対して特別演出が過度に実行され、特別演出が実行されることに対して遊技者が煩わしさを感じることを抑制できる。以上より、いずれの遊技者であっても、当該遊技者が煩わしさを感じることを抑制できる。この結果、遊技者の遊技を続行する意欲が低下し、遊技機の稼働率が低下することを抑制できる。
【０３３５】
特徴６．予め定められた取得条件が成立した場合に特別情報を取得する情報取得手段（主制御装置８１のＭＰＵ２０２による作動口用の入賞処理を実行する機能）と、
当該情報取得手段により取得された前記特別情報に応じて、遊技者に特典を付与するか否かを判定する付与判定手段（主制御装置８１のＭＰＵ２０２による当否判定処理を実行する機能）と、
を備え、
前記演出制御手段は、前記付与判定手段の判定結果に応じた演出を前記演出実行手段に実行させるものであり、
前記変動手段は、前記付与判定手段の判定結果に応じて前記変動対象演出の前記演出抽選手段の選択率を変動させる態様を異ならせるものであることを特徴とする特徴１乃至５のいずれか１に記載の遊技機。
【０３３６】
特徴６によれば、付与判定手段の判定結果に応じて変動対象演出の選択率が変動される。これにより、変動対象演出が実行される頻度から、それら変動対象演出が実行された場合の遊技結果を遊技者が推測することが可能となる。この結果、変動対象演出に対する遊技者の注目度を高めることが可能となる。したがって、遊技者の遊技への注目度を高めることが可能となる。
【０３３７】
特徴７．前記変動手段は、前記付与判定手段の判定結果が前記特典の付与に対応している場合と、前記付与判定手段の付与判定の結果が前記特典の付与に対応していない場合とのうち、一方における前記変動対象演出の前記演出抽選手段の選択率を変動させるものであることを特徴とする特徴６に記載の遊技機。
【０３３８】
特徴７によれば、特典の付与に対応している場合と対応していない場合とのうち、一方における変動対象演出の選択率が変動される。そして、他方における変動対象演出の選択率には頻度情報が影響を与えない。本特徴においては、頻度情報に応じて、変動対象演出が実行された場合に、その変動対象演出が特典の付与に対応している期待度が異なることとなる。この結果、頻度情報に応じて特典の付与に対応している期待度が異なることを前もって遊技者に把握させておくことで、変動対象演出が実行された場合に特典の付与に対応している期待度を遊技者が設定し易くなる効果が期待される。したがって、操作手段を操作した頻度に遊技者が注目し、遊技者の遊技への注目度を高めることができる。
【０３３９】
また、変動対象演出が実行された場合、その変動対象演出が特典の付与に対応しているか否かを遊技者は予測することが考えられる。さらに、本特徴においては、遊技者は操作手段を操作した頻度を加味して上記予測を行う。この結果、上記予測が単調化することを抑制できる。したがって、遊技者の遊技への注目度を高めることが可能となる。
【０３４０】
特徴８．前記変動手段は、前記付与判定手段による判定結果が、前記特典の付与に対応していない場合に、前記頻度情報に応じて前記変動対象演出の前記演出抽選手段の選択率を変動させるものであり、さらに、前記付与判定手段による判定結果が、前記特典の付与に対応している場合、前記変動対象演出の前記演出抽選手段の選択率を変動させないものであることを特徴とする特徴７に記載の遊技機。
【０３４１】
特徴８によれば、付与判定手段による判定結果が、特典の付与に対応していない場合に、頻度情報に応じて変動対象演出が実行される頻度が異なる。また、付与判定手段による判定結果が、特典の付与に対応している場合、変動対象演出が実行させる頻度に頻度情報が影響を与えない。これにより、特典の付与に対応していない場合に変動対象演出が実行される頻度を変動させることで、変動対象演出が実行された場合に特典の付与に対応している期待度を異なるせることができる。ちなみに、特典の付与に対応していない場合に変動対象演出が実行される頻度が高い場合、変動対象演出が実行されたとしても特典の付与に対応している期待度が低い。また、特典の付与に対応していない場合に変動対象演出が実行される頻度が低い場合、変動対象演出が実行された場合に特典の付与に対応している期待度が高い。
【０３４２】
また、付与判定手段の判定結果が、特典の付与に対応していると判定される頻度、特典の付与に対応していないと判定される頻度とでは、特典の付与に対応していないと判定される頻度の方が高いことが考えられる。このため、特典の付与に対応している場合に変動対象演出が実行される頻度を変更したとしても、変動対象演出が実行される総回数にさほど影響を与えないことが考えられる。この点、本特徴では、付与判定手段の判定結果が特典の付与に対応していない場合に、変動対象演出が実行される頻度を変動させている。これにより、変動対象演出が実行される頻度が変動した場合の影響を大きくすることが可能となる。この結果、上記特徴７に記載した効果を顕著なものとできる。
【０３４３】
特徴９．前記変動対象演出は、前記特別演出であり、
前記変動手段は、前記頻度情報が第１操作頻度よりも操作頻度が低い第２操作頻度に対応している場合、前記第１操作頻度に対応している場合よりも、前記演出抽選手段における前記特別演出の選択率を低くするものであり、
前記把握手段は、前記付与判定手段による判定結果が、前記特典の付与に対応していない状況において前記特別演出が実行された場合に、前記操作手段が操作された頻度に対応した情報を前記頻度情報として把握することを特徴とする特徴７又は８に記載の遊技機。
【０３４４】
特徴９によれば、特典の付与に対応していない場合に操作手段が操作された頻度が把握される。ここで、遊技者によっては、特典の付与に対応している場合には操作手段を操作した場合の演出を把握したいと考えるが、特典の付与に対応していない場合には、特別演出が実行されることに対して煩わしさを感じことが想定される。この点、本特徴によれば、特典の付与に対応している場合に操作手段が操作されたとしても、その後に特別演出が実行される頻度に影響がない。この結果、上記のような遊技者が特典の付与に対応している状況において操作手段を操作した場合に、特別演出が実行される頻度が高くなり、その遊技者がその後に煩わしさを感じることを抑制できる。
【０３４５】
なお、特別演出が実行されるまでに、又は特別演出が実行された場合に、特典付与結果に対応している期待度を遊技者が把握できるように、特別演出とは別に、特典付与結果に対応していることを遊技者に示唆する演出を行うようにするとよい。
【０３４６】
特徴１０．前記把握手段が把握している前記頻度情報を、予め定められた初期化条件が成立した場合に初期化する初期化手段（音声ランプ制御装置８２のＭＰＵ２４９による操作頻度初期化処理を実行する機能）を備えていることを特徴とする特徴１乃至９のいずれか１に記載の遊技機。
【０３４７】
特徴１０によれば、頻度情報は初期化条件が成立した場合に初期化される。遊技者が遊技を終了した場合、その後にその遊技者とは異なる遊技者によって遊技が実行されることが考えられる。遊技者が異なる場合、遊技者が望む変動対象演出の実行頻度が異なることが考えられる。この点、本特徴では、初期化条件が成立した場合に頻度情報を初期化することで、遊技者が遊技を終了した場合には、変動対象演出が実行される頻度を再設定することが可能となる。これにより、遊技者が遊技を終了した後に、次の遊技者が遊技を開始した場合に、前の遊技者の望む変動対象演出が実行される頻度が維持されることを抑制できる。
【０３４８】
特徴１１．遊技者による遊技操作に基づき遊技が進行していることを特定する遊技特定手段（音声ランプ制御装置８２のＭＰＵ２４９による操作頻度初期化処理におけるステップＳ１００２，ステップＳ１２０４の処理を実行する機能）を備え、
前記初期化手段は、前記遊技特定手段による前記特定が実行されていない場合に前記初期化を実行することを特徴とする特徴１０に記載の遊技機。
【０３４９】
特徴１１によれば、遊技特定手段により遊技が進行されていることが特定されていない場合に頻度情報が初期化される。遊技が進行していない場合、遊技者が遊技を終了していることが考えられる。本特徴では、遊技が進行していない場合に頻度情報を初期化することにより、遊技者が遊技を行っている状況において頻度情報が初期化されることを抑制できる。この結果、遊技者が遊技を行っている状況において変動対象演出の実行頻度が変更されることを抑制できる。
【０３５０】
特徴１２．遊技者による発射操作に基づいて、遊技領域に向けて遊技球を発射する発射手段（遊技球発射機構５３）を備え、
前記初期化手段は、遊技球が発射されることなく、又は遊技者による発射操作が行われることなく所定期間が経過した場合に前記初期化を実行することを特徴とする特徴１０又は１１に記載の遊技機。
【０３５１】
特徴１２によれば、遊技球が発射されることなく、又は遊技者による発射操作が行われることなく所定期間が経過した場合に頻度情報の初期化が実行される。遊技球が発射されることなく、又は発射操作が行われることなく所定期間が経過した場合、遊技者が遊技を終了していることが考えられる。本特徴では、遊技球が発射されることなく所定期間が経過した場合に頻度情報を初期化することで、遊技者が遊技を行っているか否かを判定できる。また、遊技者の発射操作が行われているか否かや、遊技球が発射されているか否かは、遊技球を発射するために遊技機にて検出されていることが考えられる。本特徴では、遊技球を発射するために必要な構成を用いて、頻度情報を初期化するタイミングを決定することが可能となる。
【０３５２】
特徴１３．遊技状態として、通常遊技状態（低確率モード及び低頻度サポートモードが設定されている状態）と、前記通常遊技状態よりも遊技者に有利な特定遊技状態（高頻度サポートモードが設定されている状態）と、が設定されており、
予め定められた条件が成立した場合に前記特定遊技状態に移行させる移行手段（主制御装置８１のＭＰＵ２０２による遊技状態移行処理を実行する機能）を備え、
前記初期化手段は、前記特定遊技状態に移行されている場合、前記初期化を実行しないものであることを特徴とする特徴１０乃至１２のいずれか１に記載の遊技機。
【０３５３】
特徴１３によれば、遊技者に有利な特定遊技状態に移行している場合、初期化手段による初期化が実行されない。遊技者に有利な状態である場合、遊技者は遊技を終了しないものと考えられる。本特徴では、遊技者が遊技を終了しないと考えられる状態にて初期化手段による初期化が実行されないことにより、遊技者が遊技を続けている状態にて初期化手段による初期化が実行されることを抑制できる。
【０３５４】
なお、「移行手段」を、前記付与判定手段による判定結果が、特典の付与に対応しているものである場合に、遊技者に有利な特定遊技状態（高頻度サポートモードが設定されている状態）に移行させるものとしてもよい。
【０３５５】
特徴１４．前記変動対象演出は、前記特別演出であり、
前記変動手段は、前記頻度情報に応じて前記特別演出の前記演出抽選手段の選択率を段階的に異ならせるものであり、
前記特別演出が予め定められた複数回実行された場合に、それら前記特別演出のいずれにおいても前記操作手段が操作された場合に、前記特別演出の選択率が高くなるように前記頻度情報を設定する頻度設定手段（第２の実施の形態における音声ランプ制御装置８２のＭＰＵ２４９による操作頻度初期化処理のステップＳ１２１０の処理を実行する機能）を備えていることを特徴とする特徴１乃至１３のいずれか１に記載の遊技機。
【０３５６】
特徴１４によれば、複数回特別演出が実行された場合にそのいずれの特別演出においても操作手段が操作された場合、特別演出の選択率が高くなるように頻度情報が設定される。すなわち、特別演出が複数回実行された場合に、その複数回の特別演出にて操作手段が連続して操作された場合に、特別演出が実行される頻度が高くなる。遊技者が操作手段の操作を連続して行っている場合、それまでの遊技における操作手段の操作頻度に関わらず、操作手段の操作を望んで遊技者が遊技を行っていることが考えられる。本特徴によれば、操作手段の操作が連続した場合に、頻度情報を設定することにより、それまでの操作手段の操作履歴に関わらず、特別演出が実行される頻度を高めることが可能となる。これにより、操作手段の操作を望んでいない状態から操作手段の操作を望んで遊技を行っている状態に、一の遊技者の気持ちが変化した場合に、良好に特別演出の実行頻度を変更できる。
【０３５７】
特徴１５．前記変動対象演出は、前記特別演出であり、
前記変動手段は、前記頻度情報に応じて前記特別演出の前記演出抽選手段の選択率を段階的に異ならせるものであり、
前記特別演出が予め定められた複数回実行された場合に、それら前記特別演出のいずれにおいても前記操作手段が操作されなかった場合に、前記特別演出の選択率が低くなるように前記頻度情報を設定する頻度設定手段（第２の実施の形態における音声ランプ制御装置８２のＭＰＵ２４９による操作頻度初期化処理のステップＳ１２０９の処理を実行する機能）を備えていることを特徴とする特徴１乃至１４のいずれか１に記載の遊技機。
【０３５８】
特徴１５によれば、複数回特別演出が実行された場合にそのいずれの特別演出においても操作手段が操作されなかった場合、特別演出が実行される頻度が低くなるように頻度情報が設定される。すなわち、特別演出が複数回実行された場合に、その複数回の特別演出にて操作手段が連続して操作されなかった場合に、特別演出の選択率が低くなる。遊技者が操作手段の操作を連続して行っていない場合、それまでの遊技における操作手段の操作頻度に関わらず、操作手段の操作を望まない状態にて遊技者が遊技を行っていることが考えられる。本特徴によれば、操作手段が操作されない状態が連続した場合に、頻度情報を設定することにより、それまでの操作手段の操作履歴に関わらず、特別演出が実行される頻度を低めることが可能となる。これにより、操作手段の操作を望んでいる状態から操作手段の操作を望んで遊技を行っている状態に、一の遊技者の気持ちが変化した場合に、良好に特別演出の実行頻度を変更できる。
【０３５９】
以下に、以上の各特徴を適用し得る各種遊技機の基本構成を示す。
【０３６０】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０３６１】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【０３６２】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０３６３】
１０…パチンコ機、３２ａ…大入賞口、３３…上作動口、３４…下作動口、４１…図柄表示装置、５３…遊技球発射機構、８１…主制御装置、８２…音声ランプ制御装置、１００…操作スイッチ、２０２…ＭＰＵ、２０３…ＲＯＭ、２０４…ＲＡＭ、２１２…表示制御装置、２３２…保留球格納エリア、２４９…ＭＰＵ、２５２…特別報知制御手段を備えたＭＰＵ、２５３…プログラムＲＯＭ、２５４…ワークＲＡＭ。
【図１】
2019034223.tif 000003
【図２】
2019034223.tif 000004
【図３】
2019034223.tif 000005
【図４】
2019034223.tif 000006
【図５】
2019034223.tif 000007
【図６】
2019034223.tif 000008
【図７】
2019034223.tif 000009
【図８】
2019034223.tif 000010
【図９】
2019034223.tif 000011
【図１０】
2019034223.tif 000012
【図１１】
2019034223.tif 000013
【図１２】
2019034223.tif 000014
【図１３】
2019034223.tif 000015
【図１４】
2019034223.tif 000016
【図１５】
2019034223.tif 000017
【図１６】
2019034223.tif 000018
【図１７】
2019034223.tif 000019
【図１８】
2019034223.tif 000020
【図１９】
2019034223.tif 000021
【図２０】
2019034223.tif 000022
【図２１】
2019034223.tif 000023
【図２２】
2019034223.tif 000024
【図２３】
2019034223.tif 000025